(57)【要約】  無線ネットワークにおいて、送信機は、受信機において容易に検出され得るアップリンクデータ伝送を伴わずに、ジョイントチャネル品質指示子（ＣＱＩ）およびデータパケット肯定応答（Ａｃｋ）、またはＣＱＩだけを同じサブフレーム内で送信する。短い巡回プレフィックス（ＣＰ）が適切である場合、第１の手法は、ＣＱＩであるかＣＱＩ＋ＡＣＫであるかを信号で知らせるために、パイロットに関して２つの異なるウォルシュカバーを使用することによって、パイロット支援シグナリングを利用する。１つのパイロットを伴う長いＣＰが適切である場合、それぞれのモードに関するコードブックを別々に最適化するだけであるが、これらの２つのコード間隔の間の距離の最大化も行う２つの異なるコード設計がＣＱＩおよびＣＱＩ＋ＡＣＫに関して提供される。かかる線形ブロック符号を探索するための様々なコセットベースの手法が説明される。良好なコードを示した初期の結果は、誤認警告および誤検出を最低限に抑えるためのコセットベースの手法に基づいて見出されることが可能である。
2011503927.tif 000002
【特許請求の範囲】
【請求項１】
誤認警告および誤検出を避けることを回避する肯定応答を伴う、または伴わないアップリンク基準信号を送信するための方法であって、
基準信号、ならびに組み合わされた基準信号および肯定応答のコーディングを画定することと、
ダウンリンク割当てを受信しないことに応答して、スケジュールされたリソースブロックに応答して、符号化された基準信号を送信することと、
前記ダウンリンク割当てを受信することに応答して、符号化された、組み合わされた基準信号および肯定応答を送信することと、を備え、
前記画定されたコーディングが、あいまい性を伴わないブラインド復号仮説によって、前記符号化された基準信号、または符号化された、組み合わされた基準信号および肯定応答を検出することを実現する方法。
【請求項２】
それぞれのブラインド復号仮説を適用した後で、エネルギー比較によって、前記肯定応答が存在するかどうかを示すために、カバー機能を用いて２つのパイロット間隔を符号化することによって、伝送時間間隔ごとに前記２つのパイロット間隔を用いて、前記符号化された基準信号、ならびに前記符号化された、組み合わされた基準信号および肯定応答を送信することと、をさらに備える、請求項１に記載の方法。
【請求項３】
ウォルシュカバー機能を用いて、前記２個のパイロット記号を符号化することをさらに備える、請求項２に記載の方法。
【請求項４】
それぞれが、ベース系列を循環桁送りすることによって、６人の直交多重化されたユーザをサポートすることが可能な２個のパイロット記号を送信することと、
伝送がチャネル品質指示子（ＣＱＩ）を含むか、またはＣＱＩおよび肯定応答（ＡＣＫ）を含むかを示すために、前記パイロット間隔上で前記ウォルシュカバー機能を使用することと、
をさらに備える、請求項３に記載の方法。
【請求項５】
１２個のトーンのリソースブロックに多重化された複数の物理アップリンク制御チャネル（ＰＵＣＣＨ）上で符号分割多重化することによって、前記符号化された基準信号、ならびに組み合わされた基準信号および肯定応答を送信することをさらに備え、それぞれのＰＵＣＣＨが、異なるＰＵＣＣＨを直交的に分離するために使用された、桁送りされたＣｈｕ系列を用いて、８個または１０個の情報ビットを運ぶ、請求項２に記載の方法。
【請求項６】
伝送時間間隔ごとに１つのパイロット間隔を用いて、前記符号化された基準信号、ならびに前記符号化された、組み合わされた基準信号および肯定応答を送信することと、
肯定応答の包括または欠如を区別して、誤認警告および誤検出を回避するために、コセットベースのコード設計によって、ブラインド復号のための間隔が空けられた複数の線形符号ブロックを画定することと
をさらに備える、請求項１に記載の方法。
【請求項７】
（２４，１２）ゴーレイ符号の行および列をパンクチャリングすることによって、基準信号だけの伝送に関する（２０，８）線形符号ブロックを画定することと、
前記（２０，８）線形符号ブロックからの符号距離を最適化するために、コセットベースのコード設計を用いることによって、肯定応答を伴う基準信号に関する（２０，１０）線形符号ブロックを画定することと、
をさらに備える、請求項６に記載の方法。
【請求項８】
（３２，１０）リードマラー符号の行および列をパンクチャリングすることによって、基準信号だけの伝送に関する（２０，８）線形符号ブロックを画定することと、
前記（２０，８）線形符号ブロックからの符号距離を最適化するために、コセットベースのコード設計を用いて（３２，１０）リードマラー符号の行および列をパンクチャリングすることによって、基準信号および肯定応答伝送に関する（２０，１０）線形符号ブロックを画定することと、
をさらに備える、請求項６に記載の方法。
【請求項９】
基準信号だけの伝送に関する元の（２０，８）線形符号ブロックを画定することと、
前記元の（２０，８）線形符号ブロックに対するその最低距離が７であり、４つのコセットのその他のコセットに対するその最低距離が６である前記４つのコセットを見出すことによって前記基準信号を送るために、それぞれの肯定応答状態に関する５つの（２０，８）線形符号ブロックを画定することと、
をさらに備える、請求項６に記載の方法。
【請求項１０】
（２４，１２）ゴーレイ符号をパンクチャリングすることによって、元の最適の（２０，８）線形符号ブロックを画定することをさらに備える、請求項９に記載の方法。
【請求項１１】
誤認警告および誤検出を避けることを回避する肯定応答を伴う、または伴わないアップリンク基準信号を送信するための少なくとも１個のプロセッサであって、
基準信号、ならびに組み合わされた基準信号および肯定応答のコーディングを画定するための第１のモジュールと、
ダウンリンク割当てを受信しないことに応答して、スケジュールされたリソースブロックに応答して、符号化された基準信号を送信するための第２のモジュールと、
前記ダウンリンク割当てを受信することに応答して、符号化された、組み合わされた基準信号および肯定応答を送信するための第３のモジュールとを備え
前記画定されたコーディングが、あいまい性を伴わないブラインド復号仮説によって、前記符号化された基準信号、または符号化された、組み合わされた基準信号および肯定応答を検出することを実現するプロセッサ。
【請求項１２】
誤認警告および誤検出を避けることを回避する肯定応答を伴う、または伴わないアップリンク基準信号を送信するためのコンピュータ・プログラム製品であって、
コンピュータに、基準信号、ならびに組み合わされた基準信号および肯定応答のコーディングを画定させるためのコードの第１のセットと、
前記コンピュータに、ダウンリンク割当てを受信しないことに応答して、スケジュールされたリソースブロックに応答して、符号化された基準信号を送信させるためのコードの第２のセットと、
前記コンピュータに、前記ダウンリンク割当てを受信することに応答して、符号化された、組み合わされた基準信号および肯定応答を送信させるためのコードの第３のセットと
を備えたコンピュータ可読記憶媒体を備え、
前記画定されたコーディングが、あいまい性を伴わないブラインド復号仮説によって、前記符号化された基準信号、または符号化された、組み合わされた基準信号および肯定応答を検出することを実現するコンピュータ・プログラム製品
【請求項１３】
誤認警告および誤検出を避けることを回避する肯定応答を伴う、または伴わないアップリンク基準信号を送信するための装置であって、
基準信号、ならびに組み合わされた基準信号および肯定応答のコーディングを画定するための手段と、
ダウンリンク割当てを受信しないことに応答して、スケジュールされたリソースブロックに応答して、符号化された基準信号を送信するための手段と、
前記ダウンリンク割当てを受信することに応答して、符号化された、組み合わされた基準信号および肯定応答を送信するための手段とを備え、
前記画定されたコーディングが、あいまい性を伴わないブラインド復号仮説によって、前記符号化された基準信号、または符号化された、組み合わされた基準信号および肯定応答を検出することを実現する装置。
【請求項１４】
誤認警告および誤検出を避けることを回避する肯定応答を伴う、または伴わないアップリンク基準信号を送信するための装置であって、
基準信号、ならびに組み合わされた基準信号および肯定応答のコーディングを画定するためのコーダと、
ダウンリンク割当てを受信するための受信機と、
前記ダウンリンク割当てを受信しないことに応答して、スケジュールされたリソースブロックに応答して、符号化された基準信号を送信して、前記ダウンリンク割当てを受信することに応答して、符号化された、組み合わされた基準信号および肯定応答を送信するための送信機とを備え、
前記画定されたコーディングが、あいまい性を伴わないブラインド復号仮説によって、前記符号化された基準信号、または符号化された、組み合わされた基準信号および肯定応答を検出することを実現する装置。
【請求項１５】
伝送時間間隔ごとに２つのパイロット間隔を用いて、前記符号化された基準信号、ならびに前記符号化された、組み合わされた基準信号および肯定応答を送信するための前記送信機と、
それぞれのブラインド復号仮説を適用した後で、エネルギー比較によって、前記肯定応答が存在するかどうかを示すために、カバー機能を用いて、前記２つのパイロット間隔を符号化するための前記コーダと
をさらに備える、請求項１４に記載の装置。
【請求項１６】
ウォルシュカバー機能を用いて、前記２個のパイロット記号を符号化するための前記コーダをさらに備える、請求項１５に記載の装置。
【請求項１７】
それぞれが、ベース系列を循環桁送りすることによって、６人の直交多重化されたユーザをサポートすることが可能な２個のパイロット記号を送信するための前記送信機と、
伝送がチャネル品質指示子（ＣＱＩ）を含むか、またはＣＱＩおよび肯定応答（ＡＣＫ）を含むかを示すために、前記パイロット間隔上で前記ウォルシュカバー機能を使用するための前記コーダと
をさらに備える、請求項１６に記載の装置。
【請求項１８】
１２個のトーンのリソースブロックに多重化された複数の物理アップリンク制御チャネル（ＰＵＣＣＨ）上で符号分割多重化することによって、前記符号化された基準信号、ならびに組み合わされた基準信号および肯定応答を送信するための前記送信機をさらに備え、それぞれのＰＵＣＣＨが、異なるＰＵＣＣＨを直交的に分離するために使用された、桁送りされたＣｈｕ系列を用いて、８個または１０個の情報ビットを運ぶ、請求項１５に記載の装置。
【請求項１９】
伝送時間間隔ごとに１つのパイロット間隔を用いて、前記符号化された基準信号、ならびに前記符号化された、組み合わされた基準信号および肯定応答を送信するための前記送信機と、
肯定応答の包括または欠如を区別して、誤認警告および誤検出を回避するために、コセットベースのコード設計によって、ブラインド復号のための間隔が空けられた複数の線形符号ブロックを画定するための前記コーダと
をさらに備える、請求項１４に記載の装置。
【請求項２０】
（２４，１２）ゴーレイ符号の行および列をパンクチャリングすることによって、基準信号だけの伝送に関する（２０，８）線形符号ブロックを画定するための前記コーダと、
前記（２０，８）線形符号ブロックからの符号距離を最適化するために、コセットベースのコード設計を用いて、肯定応答を伴う基準信号に関する（２０，１０）線形符号ブロックを画定するための前記コーダと
をさらに備える、請求項１９に記載の装置。
【請求項２１】
（３２，１０）リードマラー符号の行および列をパンクチャリングすることによって、基準信号だけの伝送に関する（２０，８）線形符号ブロックを画定するための前記コーダと、
前記（２０，８）線形符号ブロックからの符号距離を最適化するために、コセットベースのコード設計を用いて（３２，１０）リードマラー符号の行および列をパンクチャリングすることによって、基準信号および肯定応答伝送に関する（２０，１０）線形符号ブロックを画定するための前記コーダと
をさらに備える、請求項１９に記載の装置。
【請求項２２】
基準信号だけの伝送に関する元の（２０，８）線形符号ブロックを画定するための前記コーダと、
前記元の（２０，８）線形符号ブロックに対するその最低距離が７であり、４つのコセットのその他のコセットに対するその最低距離が６である前記４つのコセットを見出すことによって前記基準信号を送るために、それぞれの肯定応答状態に関する５つの（２０，８）線形符号ブロックを画定するための前記コーダと
をさらに備える、請求項１９に記載の装置。
【請求項２３】
（２４，１２）ゴーレイ符号をパンクチャリングすることによって、元の最適の（２０，８）線形符号ブロックを画定するための前記コーダをさらに備える、請求項２２に記載の装置。
【請求項２４】
誤認警告および誤検出を避けることを回避する肯定応答を伴う、または伴わないアップリンク基準信号を受信するための方法であって、
肯定応答を含んでよく、または含まなくてもよい基準信号の復号に関する複数の仮説を画定することと、
ダウンリンク割当てを送信することと、
肯定応答を含んでよく、または含まなくてもよい、符号化された基準信号を後で受信することと、
あいまい性を伴わない前記複数の仮説のそれぞれを使用して、前記受信された、符号化された基準信号をブラインド復号することとを備える方法。
【請求項２５】
伝送時間間隔ごとに２つのパイロット間隔を用いて、肯定応答を伴う、または伴わない前記符号化された基準信号を受信することと、
前記肯定応答が存在するかどうかを示すために、前記２つのパイロット間隔上で使用されたカバー機能を逆拡散することによって、それぞれの仮説を用いて復号することと、
エネルギー比較を実行することと
をさらに備える、請求項２４に記載の方法。
【請求項２６】
ウォルシュカバー機能を逆拡散することによって、前記２個のパイロット記号を復号することをさらに備える、請求項２５に記載の方法。
【請求項２７】
それぞれが、ベース系列を循環桁送りすることによって、６人の直交多重化されたユーザをサポートすることが可能な２個のパイロット記号を受信することと、
伝送が、チャネル品質指示子（ＣＱＩ）を含むか、またはＣＱＩおよび肯定応答（ＡＣＫ）を含むかを決定するために、前記パイロット間隔上で前記ウォルシュカバー機能を逆拡散することによって復号することと
をさらに備える、請求項２６に記載の方法。
【請求項２８】
１２個のトーンのリソースブロックに多重化された複数の物理アップリンク制御チャネル（ＰＵＣＣＨ）上で符号逆多重化することによって、肯定応答を伴う、または伴わない、前記受信された基準信号を復号することをさらに備え、それぞれのＰＵＣＣＨが、異なるＰＵＣＣＨを直交的に分離するために使用された、桁送りされたＣｈｕ系列を用いて、８個または１０個の情報ビットを運ぶ、請求項２５に記載の方法。
【請求項２９】
伝送時間間隔ごとに１つのパイロット間隔を用いて、肯定応答を伴う、または伴わない前記符号化された基準信号を受信することと、
肯定応答の包括または欠如を区別するために、コセットベースのコード設計によって間隔が空けられた複数の線形符号ブロックに関する仮説を画定することと
をさらに備える、請求項２４に記載の方法。
【請求項３０】
（２４，１２）ゴーレイ符号の行および列をパンクチャリングすることによって、基準信号だけの伝送に関する（２０，８）線形符号ブロックに関する仮説を画定することと、
前記（２０，８）線形符号ブロックからの符号距離を最適化するために、コセットベースのコード設計を用いて、肯定応答を伴う基準信号に関する（２０，１０）線形符号ブロックに関する仮説を画定することと
をさらに備える、請求項２９に記載の方法。
【請求項３１】
（３２，１０）リードマラー符号の行および列をパンクチャリングすることによって、基準信号だけの伝送に関する（２０，８）線形符号ブロックに関する仮説を画定することと、
前記（２０，８）線形符号ブロックからの符号距離を最適化するために、コセットベースのコード設計を用いて（３２，１０）リードマラー符号の行および列をパンクチャリングすることによって、基準信号および肯定応答伝送に関する（２０，１０）線形符号ブロックに関する仮説を画定することと
をさらに備える、請求項２９に記載の方法。
【請求項３２】
元の（２０，８）線形符号ブロックに対するその最低距離が７であり、４つのコセットのその他に対するその最低距離が６である前記４つのコセットを見出すことによって前記基準信号を送るために、基準信号だけの伝送に関する前記元の（２０，８）線形符号ブロックを画定することと、それぞれの肯定応答状態に関する５つの（２０，８）線形符号ブロックを画定することとによって、５つの異なるオフセットを用いて、共通の復号構造によって復号された５つの線形符号ブロックに関する仮説を画定することをさらに備える、請求項２９に記載の方法。
【請求項３３】
（２４，１２）ゴーレイ符号をパンクチャリングすることによって、元の最適の（２０，８）線形符号ブロックを画定することをさらに備える、請求項３２に記載の方法。
【請求項３４】
誤認警告および誤検出を避けることを回避する肯定応答を伴う、または伴わないアップリンク基準信号を受信するための少なくとも１個のプロセッサであって、
肯定応答を含んでよく、または含まなくてもよい基準信号の復号に関する複数の仮説を画定するための第１のモジュールと、
ダウンリンク割当てを送信するための第２のモジュールと、
肯定応答を含んでよく、または含まなくてもよい、符号化された基準信号を後で受信するための第３のモジュールと、
あいまい性を伴わない前記複数の仮説のそれぞれを使用して、前記受信された、符号化された基準信号をブラインド復号するための第４のモジュールと、を備えるプロセッサ。
【請求項３５】
誤認警告および誤検出を避けることを回避する肯定応答を伴う、または伴わないアップリンク基準信号を受信するためのコンピュータ・プログラム製品であって、
コンピュータに、肯定応答を含んでよく、または含まなくてもよい基準信号の復号に関する複数の仮説を画定させるためのコードの第１のセットと、
前記コンピュータに、ダウンリンク割当てを送信させるためのコードの第２のセットと、
前記コンピュータに、肯定応答を含んでよく、または含まなくてもよい、符号化された基準信号を後で受信させるためのコードの第３のセットと、
前記コンピュータに、あいまい性を伴わない前記複数の仮説のそれぞれを使用して、前記受信された、復号された基準信号をブラインド復号させるためのコードの第４のセットと
を備えたコンピュータ可読記憶媒体を備えるコンピュータ・プログラム製品。
【請求項３６】
誤認警告および誤検出を避けることを回避する肯定応答を伴う、または伴わないアップリンク基準信号を受信するための装置であって、
肯定応答を含んでよく、または含まなくてもよい基準信号の復号に関する複数の仮説を画定するための手段と、
ダウンリンク割当てを送信するための手段と、
肯定応答を含んでよく、または含まなくてもよい、符号化された基準信号を後で受信するための手段と、
あいまい性を伴わない前記複数の仮説のそれぞれを使用して、前記受信された、符号化された基準信号をブラインド復号するための手段と、を備える装置。
【請求項３７】
誤認警告および誤検出を避けることを回避する肯定応答を伴う、または伴わないアップリンク基準信号を受信するための装置であって、
肯定応答を含んでよく、または含まなくてもよい基準信号の復号に関する複数の仮説を画定するための復号器と、
ダウンリンク割当てを送信するための送信機と、
肯定応答を含んでよく、または含まなくてもよい符号化された基準信号を後で受信するための受信機と、
あいまい性を伴わない前記複数の仮説のそれぞれを使用して、前記受信された、符号化された基準信号をブラインド復号するための前記復号器とを備える装置。
【請求項３８】
伝送時間間隔ごとに２つのパイロット間隔を用いて、肯定応答を伴う、または伴わない前記符号化された基準信号を受信するための前記受信機と、
前記肯定応答が存在するかどうかを示すために、前記２つのパイロット間隔上で使用されたカバー機能を逆拡散することによって、それぞれの仮説を復号して、エネルギー比較を実行するための前記復号器と
をさらに備える、請求項３７に記載の装置。
【請求項３９】
ウォルシュカバー機能を逆拡散することによって、前記２個のパイロット記号を復号するための前記復号器をさらに備える、請求項３８に記載の装置。
【請求項４０】
それぞれが、ベース系列を循環桁送りすることによって、６人の直交多重化されたユーザをサポートすることが可能な２個のパイロット記号を受信するための前記受信機と、
伝送がチャネル品質指示子（ＣＱＩ）を含んでいるか、またはＣＱＩおよび肯定応答（ＡＣＫ）を含んでいるかを決定するために、前記パイロット間隔上で前記ウォルシュカバー機能を逆拡散することによって復号するための前記復号器と
をさらに備える、請求項３９に記載の装置。
【請求項４１】
１２個のトーンのリソースブロックに多重化された複数の物理アップリンク制御チャネル（ＰＵＣＣＨ）上で符号逆多重化することによって、肯定応答を伴う、または伴わない前記受信された基準信号を復号するための前記復号器さらに備え、それぞれのＰＵＣＣＨが、異なるＰＵＣＣＨを直交的に分離するために使用された、桁送りされたＣｈｕ系列を用いて、８個または１０個の情報ビットを運ぶ、請求項３８に記載の装置。
【請求項４２】
伝送時間間隔ごとに１つのパイロット間隔を用いて、肯定応答を伴う、または伴わない前記符号化された基準信号を受信するための前記受信機と、
肯定応答の包括または欠如を区別するために、コセットベースのコード設計によって間隔が空けられた複数の線形符号ブロックに関する仮説を画定するための前記復号器と
をさらに備える、請求項３７に記載の装置。
【請求項４３】
（２４，１２）ゴーレイ符号の行および列をパンクチャリングすることによって、基準信号だけの伝送に関する（２０，８）線形符号ブロックに関する仮説を画定するための前記復号器と、
前記（２０，８）線形符号ブロックからの符号距離を最適化するために、コセットベースのコード設計を用いることによって、肯定応答を伴う基準信号に関する（２０，１０）線形符号ブロックに関する仮説を画定するための前記復号器と
をさらに備える、請求項４２に記載の装置。
【請求項４４】
（３２，１０）リードマラー符号の行および列をパンクチャリングすることによって、基準信号だけの伝送に関する（２０，８）線形符号ブロックに関する仮説を画定するための前記復号器と、
前記（２０，８）線形符号ブロックからの符号距離を最適化するために、コセットベースのコード設計を用いて（３２，１０）リードマラー符号の行および列をパンクチャリングすることによって、基準信号および肯定応答伝送に関する（２０，１０）線形符号ブロックに関する仮説を画定するための前記復号器と
をさらに備える、請求項４２に記載の装置。
【請求項４５】
元の（２０，８）線形符号ブロックに対するその最低距離が７であり、４つのコセットのその他のコセットに対するその最低距離が６である前記４つのコセットを見出すことによって前記基準信号を送るために、基準信号だけの伝送に関する前記元の（２０，８）線形符号ブロックを画定することと、それぞれの肯定応答状態に関する５つの（２０，８）線形信号ブロックを画定することとによって、５つの異なるオフセットを用いて、共通の復号構造によって復号された５つの線形符号ブロックに関する仮説を画定するための前記復号器をさらに備える、請求項４２に記載の装置。
【請求項４６】
（２４，１２）ゴーレイ符号をパンクチャリングすることによって、元の最適の（２０，８）線形符号ブロックを画定するための前記復号器をさらに備える、請求項４５に記載の装置。
【発明の詳細な説明】
【技術分野】
【０００１】
米国特許法第１１９条に基づく優先権主張
本特許出願は、２００７年１０月１日に出願され、本譲受人に譲渡され、参照により本明細書に明示的に組み込まれている「ＭＥＴＨＯＤ  ＡＮＤ  ＡＰＰＡＲＡＴＵＳ  ＦＯＲ  ＵＬ  ＣＯＮＴＲＯＬ  ＳＩＧＮＡＬＬＩＮＧ」という表題の仮出願第６０／９７６，７６０号の優先権を主張する。
【０００２】
本発明は、無線通信システムに関する。より詳細には、本発明は、アップリンク制御シグナリングのための基準信号およびコードブック設計に関する方法ならびに装置に関する。
【背景技術】
【０００３】
無線通信システムは、音声、データなど、様々なタイプの通信コンテンツを提供するために広く配備されている。これらのシステムは、利用可能なシステムリソース（例えば、帯域幅および送信電力）を共有することによって、複数のユーザとの通信をサポートすることが可能な多元接続システムであり得る。かかる多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
３ＧＰＰロングターム・エボリューション（ＬＴＥ）は、需要の高い領域において、より高いピークデータ転送速度、より低い潜時、および拡張された広帯域経験により高速パケットアクセス（ＨＳＰＡ）の成功を補完する。これは、より広いスペクトル帯域幅、直交周波数分割多元接続（ＯＦＤＭＡ）、およびＳＣ−ＦＤＭＡ（すなわち、シングルキャリア）エアインターフェース、ならびに高度アンテナ技法の使用により達成される。これらの技法は、広範な収束ＩＰサービスのための高いスペクトル効率および優れたユーザ経験を可能にする。ＵＭＴＳオペレータは、豊かなマルチメディア（例えば、ビデオオンデマンド、音楽ダウンロード、ビデオ共有）、ＶｏＩＰ、ＰＴＴ、ならびにラップトップおよびＰＤＡに対する広帯域アクセスなどのＩＰサービスを迅速に取り入れて、これらを提供している。オペレータは、ＨＳＰＡ、ＨＳＰＡ＋、およびＬＴＥなどのアクセスネットワークを介して、これらのサービスを提供する。進化型ＵＭＴＳ地上波無線アクセス（Ｅ−ＵＴＲＡ）は、移動体ネットワーク向けの３ＧＰＰのロングタームエボリューション（ＬＴＥ）アップグレードパスのエアインターフェースである。Ｅ−ＵＴＲＡは、３ＧＰＰリリース５、６、および７において指定されたＨＳＤＰＡ技術およびＨＳＵＰＡ技術に取って代わるものである。
【０００５】
ＯＦＤＭシステムの一態様は、低シンボルレート変調方式（すなわち、記号がチャネル時間特性と比べて比較的長い場合）が、多重通路状態からのより少ないシンボル間干渉（ＩＳＩ）を現すため、単一の高速流れの代わりに、いくつかの低速流れが並列で送信されることである。それぞれの記号の期間は長いため、ＩＳＩを除去するために、ガードインターバルがＯＦＤＭ記号同士の間に挿入される。ガードインターバル内に複製されたＯＦＤＭ記号の終端からなる巡回プレフィックス（ＣＰ）が、ガードインターバルの間に送信される。ＯＦＤＭ記号は、ガードインターバルに従う。ガードインターバルは、ＯＦＤＭ記号の終端の複製を含み、その結果、受信機は、多重通路信号のそれぞれに関して、整数の正弦波サイクルにわたって積分して、ＦＦＴを用いてＯＦＤＭ信号を復調することが可能である。スペクトル効率（すなわち、ＯＦＤＭ記号の全長に対する有用なＯＦＤＭ記号長の比）は、より短いＣＰと共に高まる。ガードインターバルは、一部のＯＦＤＭシステムの容量を削減する冗長データを含むが、長いガードインターバルは、送信機が単一の周波数ネットワーク（ＳＦＮ）内でさらに離れて間隔が空けられることを可能にし、より長いガードインターバルは、信号遅延広がりが比較的大きな山岳領域において、より大きなＳＦＮセルサイズ、すなわち、より良好な有効範囲を可能にする。短いＣＰ数値は、７個のＯＦＤＭ記号のサブフレームを備える。長いＣＰ数値は、６個のＯＦＤＭ記号のサブフレームを備える。
【０００６】
Ｅ−ＵＴＲＡでは、ＡＣＫおよびチャネル品質指示子（ＣＱＩ）の両方が、ＵＬデータ伝送を伴わずに、同じサブフレーム内で送信される必要があるとき、アップリンク（ＵＬ）ＡＣＫおよびＣＱＩ情報を符号化するために、ジョイントコーディング（joint coding）が提案されている。Ａｃｋは、パケットの受信を確認するために、伝送制御プロトコル（ＴＣＰ）において使用されるパケットメッセージである肯定応答の略語である。システム帯域の縁において周波数リソースが使用され、この場合、短いＣＰ数値に関して最高で６人までのユーザ、または長い巡回プレフィックス（ＣＰ）数値に関して最高で４人までのユーザからのＣＱＩ＋ＡＣＫ情報が、周波数領域において、符号分割多重化（ＣＤＭ）を使用して、多重化される。周波数ダイバーシティを増大させるために、追加のＴＴＩ（伝送時間間隔）内周波数ホッピングが適用される。
【０００７】
ＣＱＩ伝送またはＣＱＩ＋ＡＣＫ伝送の場合、標準において指定された短いＣＰおよび長いＣＰに関する数値に基づいて、誤り訂正のために（２０，ｎ＋ｋ）ブロック符号が使用され、この場合、ｎはＣＱＩ情報ビットの数であり、ｋは、ＡＣＫ情報ビットの数である。拡張されたベースノード（ｅＮＢ）は、ＵＬ  ＣＱＩ伝送、ならびにダウンリンク（ＤＬ）データ伝送の両方をスケジュールするため、ＮＢは、通常のシステムオペレーションにおいて、ＣＱＩおよびＣＱＩ＋ＡＣＫをいつ期待すべきかを知っている。
【０００８】
しかし、ユーザ機器（ＵＥ）がダウンリンク割当てを逃した場合、ＵＥは、スケジュールされたリソースブロック（ＲＢ）内でＣＱＩだけを送信し、ＡＣＫは送信しない。この場合、ｅＮＢは、ＵＥがＣＱＩだけを送っているのかどうかを決定しなければならず、その場合、ｅＮＢは、ＡＣＫまたはＣＱＩ＋ＡＣＫに関するＤＴＸを宣言し、この場合、ｅＮＢは、ＡＣＫ情報ビットまたはＮＡＣＫ情報ビットを検出する。これは、ＡＣＫだけの場合における、トライステート復号（tri-state decoding）に類似する。
【０００９】
ｅＮＢ受信機は、基本的に、２つの仮説に関して、ブラインド復号器を実装しなければならない。すなわち、（ａ）ＣＱＩは、コードレート（２０，ｎ）を用いて送信されたという仮説、および（ｂ）ＣＱＩ＋ＡＣＫは、コードレート（２０，ｎ＋ｋ）を用いて送信されたという仮説である。短いコードブロック長の場合、典型的な誤り訂正コード選択は、リードマラー符号またはゴーレイ符号など、線状ブロック符号に基づく。通常のコード設計の場合、２つのコード間隔は、破滅的な誤り率をもたらす交差を有する。
【発明の概要】
【００１０】
以下は、開示される態様のいくつかの態様の基本的な理解をもたらすために、簡素化された概要を提示する。この概要は、広範囲にわたる概要ではなく、主要な要素もしくは重要な要素を識別すること、またはかかる態様の範囲を描写することが意図されない。その唯一の目的は、後に提示されるより詳細な説明の前置きとして、説明される特徴のいくつかの概念を簡素化された形で提示することである。
【００１１】
１つまたは複数の態様、およびその対応する開示によれば、誤認警告および誤検出を引き起こすあいまい性を伴わずに、ブラインド復号され得る肯定応答（ＡＣＫ）を伴う、または伴わない基準信号（例えば、ＣＱＩ）を送信するための線形符号ブロックを画定することに関して、様々な態様が説明される。短い巡回プレフィックス（ＣＰ）数値において、２つのパイロット間隔が利用可能である場合、そのパイロット間隔に適用されるカバー機能は、逆拡散によって検出され得る肯定応答が含まれるか否かを示すことが可能である。長いＣＰ数値において、１つのパイロット間隔が利用可能である場合、コセットベースのコード設計は、あいまい性を伴わないブラインド復号のために、十分なコード間隔が実現されることを確実にする。
【００１２】
一態様では、方法は、誤認警告および誤検出を避けることを回避する肯定応答を伴う、または伴わないアップリンク基準信号を送信する。基準信号、ならびに組み合わされた基準信号および肯定応答のコーディングが画定される。符号化された基準信号は、ダウンリンク割当てを受信しないことに応答して、スケジュールされたリソースブロックに応答して送信される。符号化された、組み合わされた基準信号および肯定応答は、ダウンリンク割当てを受信することに応答して送信され、画定されたコーディングは、あいまい性を伴わないブラインド復号仮説によって、符号化された基準信号、または符号化された、組み合わされた基準信号および肯定応答のどちらかを検出することを実現する。
【００１３】
もう１つの態様では、少なくとも１個のプロセッサは、誤認警告および誤検出を避けることを回避する肯定応答を伴う、または伴わないアップリンク基準信号を送信する。第１のモジュールは、基準信号、ならびに組み合わされた基準信号および肯定応答のコーディングを画定する。第２のモジュールは、ダウンリンク割当てを受信しないことに応答して、スケジュールされたリソースブロックに応答して、符号化された基準信号を送信する。第３のモジュールは、ダウンリンク割当てを受信することに応答して、符号化された、組み合わされた基準信号および肯定応答を送信し、画定されたコーディングは、あいまい性を伴わないブラインド復号仮説によって、符号化された基準信号、または符号化された、組み合わされた基準信号および肯定応答のどちらかを検出することを実現する。
【００１４】
追加の態様では、コンピュータ・プログラム製品は、コードのセットを備えたコンピュータ可読記憶媒体を有することによって、誤認警告および誤検出を避けることを回避する肯定応答を伴う、または伴わないアップリンク基準信号を送信する。コードの第１のセットは、コンピュータに、基準信号、ならびに組み合わされた基準信号および肯定応答のコーディングを画定させる。コードの第２のセットは、コンピュータに、ダウンリンク割当てを受信しないことに応答して、スケジュールされたリソースブロックに応答して、符号化された基準信号を送信させる。コードの第３のセットは、コンピュータに、ダウンリンク割当てを受信することに応答して、符号化された、組み合わされた基準信号および肯定応答を送信させ、画定されたコーディングは、あいまい性を伴わないブラインド復号仮説によって、符号化された基準信号、または符号化された、組み合わされた基準信号および肯定応答のどちらかを検出することを実現する。
【００１５】
もう１つの追加の態様では、装置は、誤認警告および誤検出を避けることを回避する肯定応答を伴う、または伴わないアップリンク基準信号を送信する。基準信号、ならびに組み合わされた基準信号および肯定応答のコーディングを画定するための手段が提供される。ダウンリンク割当てを受信しないことに応答して、スケジュールされたリソースブロックに応答して、符号化された基準信号を送信するための手段が提供される。ダウンリンク割当てを受信することに応答して、符号化された、組み合わされた基準信号および肯定応答を送信するための手段が提供され、画定されたコーディングは、あいまい性を伴わないブラインド復号仮説によって、符号化された基準信号、または符号化された、組み合わされた基準信号および肯定応答のどちらかを検出することを実現する。
【００１６】
さらなる態様では、装置は、誤認警告および誤検出を避けることを回避する肯定応答を伴う、または伴わないアップリンク基準信号を送信する。コーダは、基準信号、ならびに組み合わされた基準信号および肯定応答のコーディングを画定する。受信機は、ダウンリンク割当てを受信する。送信機は、ダウンリンク割当てを受信しないことに応答して、スケジュールされたリソースブロックに応答して、符号化された基準信号を送信して、ダウンリンク割当てを受信することに応答して、符号化された、組み合わされた基準信号および肯定応答を送信し、画定されたコーディングは、あいまい性を伴わないブラインド復号仮説によって、符号化された基準信号、または符号化された、組み合わされた基準信号および肯定応答のどちらかを検出することを実現する。
【００１７】
さらに一態様では、方法は、誤認警告および誤検出を避けることを回避する肯定応答を伴う、または伴わないアップリンク基準信号を受信する。肯定応答を含んでよく、または含まなくてもよい基準信号の復号に関する複数の仮説が画定される。ダウンリンク割当てが送信される。肯定応答を含んでよく、または含まなくてもよい符号化された基準信号が後に受信される。受信された、符号化された基準信号は、あいまい性を伴わない複数の仮説のそれぞれを使用して、ブラインド復号される。
【００１８】
さらにもう１つの態様では、少なくとも１個のプロセッサは、誤認警告および誤検出を避けることを回避する肯定応答を伴う、または伴わないアップリンク基準信号を受信する。第１のモジュールは、肯定応答を含んでよく、または含まなくてもよい基準信号の復号に関する複数の仮説を画定する。第２のモジュールは、ダウンリンク割当てを送信する。第３のモジュールは、肯定応答を含んでよく、または含まなくてもよい符号化された基準信号を後で受信する。第４のモジュールは、あいまい性を伴わない複数の仮説のそれぞれを使用して、受信された、復号された基準信号をブラインド復号する。
【００１９】
さらに追加の態様では、コンピュータ・プログラム製品は、誤認警告および誤検出を避けることを回避する肯定応答を伴う、または伴わないアップリンク基準信号を受信し、コードのセットを備えるコンピュータ可読記憶媒体を有する。コードの第１のセットは、コンピュータに、肯定応答を含んでよく、または含まなくてもよい基準信号の復号に関する複数の仮説を画定させる。コードの第２のセットは、コンピュータにダウンリンク割当てを送信させる。コードの第３のセットは、コンピュータに、肯定応答を含んでよく、または含まなくてもよい符号化された基準信号を後で受信させる。コードの第４のセットは、コンピュータに、あいまい性を伴わない複数の仮説のそれぞれを使用して、受信された、符号化された基準信号をブラインド復号させる。
【００２０】
さらにもう１つの追加の態様では、装置は、誤認警告および誤検出を避けることを回避する肯定応答を伴う、または伴わないアップリンク基準信号を受信する。肯定応答を含んでよく、または含まなくてもよい基準信号の復号に関する複数の仮説を画定するための手段が提供される。ダウンリンク割当てを送信するための手段が提供される。肯定応答を含んでよく、または含まなくてもよい符号化された基準信号を後で受信するための手段が提供される。あいまい性を伴わない複数の仮説のそれぞれを使用して、受信された、符号化された基準信号をブラインド復号するための手段が提供される。
【００２１】
しかもさらなる態様では、装置は、誤認警告および誤検出を避けることを回避する肯定応答を伴う、または伴わないアップリンク基準信号を受信する。復号器は、肯定応答を含んでよく、または含まなくてもよい基準信号の復号に関する複数の仮説を画定する。送信機は、ダウンリンク割当てを送信する。受信機は、肯定応答を含んでよく、または含まなくてもよい、符号化された基準信号を後で受信する。復号器は、あいまい性を伴わない複数の仮説のそれぞれを使用して、受信された、符号化された基準信号をブラインド復号する。
【００２２】
前述の目的および関係する目的を達成するために、１つまたは複数の態様は、以下で十分に説明され、特に、特許請求の範囲において指摘される特徴を備える。以下の説明および添付の図面は、ある種の例示的な態様を詳細に記載し、これらの態様の原理が用いられることが可能な様々な方式のほんのいくつかを示す。その他の利点および新規性のある態様は、図面と共に、以下の詳細な説明から明らかになり、開示される態様は、すべてのかかる態様およびそれらの均等物を含むことが意図される。
【００２３】
本開示の特徴、性質、および利点は、その全体を通して、類似の参照符号がそれに対応して識別する図面と共に、下に記載された詳細な説明から明らかになるであろう。
【図面の簡単な説明】
【００２４】
【図１】アップリンク（ＵＬ）基準および肯定応答チャネルのコーディングと復号とをそれぞれ実行している送信機ならびに受信機の無線ネットワークを例示するブロック図。
【図２】短い巡回プレフィックス（ＣＰ）数値を有するアップリンクチャネル品質指示子（ＣＱＩ）に関する構造を例示する図。
【図３】長い巡回プレフィックス（ＣＰ）数値を有するアップリンクチャネル品質指示子（ＣＱＩ）に関する構造を例示する図。
【図４】並列かつ広く間隔が空けられているとして最適化された線状コード（ｍ，ｎ）および（ｍ，Ｎ＋ｋ）から構成される超平面関係を例示する図。
【図５】列および行をパンクチャリングすることによって、（２４，１２）ゴーレイ符号から最善のブロック符号を導出した、（２０，８）（２０，１０に関するコセットベースのコード設計の行列を例示する図。
【図６】４つのコセットリーダーの行列を例示する図。
【図７】無線ネットワークによって実行されるアップリンクジョイント基準および肯定応答のコーディングならびに復号に関する方法論を例示するタイミング図。
【図８】ＵＥおよび受信ベースノードを備えた無線ネットワークを例示するブロック図。
【図９】アップリンク基準および肯定応答のコーディングならびに復号をサポートするために拡張された通信システムを例示するブロック図。
【図１０】アップリンク基準および肯定応答のコーディングならびに復号に関する一態様による、多元接続無線通信システムを例示する図。
【図１１】アップリンク基準および肯定応答のコーディングならびに復号をサポートするための通信システムを例示する概略ブロック図。
【発明を実施するための形態】
【００２５】
無線ネットワークにおいて、送信機は、アップリンクデータ伝送を伴わずにジョイントチャネル品質指示子（ＣＱＩ）およびデータパケット肯定応答（Ａｃｋ）を同じサブフレームを用いて送信して、受信機が、受信されているＣＱＩまたはＣＱＩ＋ＡＣＫの２つの仮説を用いて、ブラインド復号器を実装しなければならないことを回避する。それにより、２つの仮説の間の交差により、いっそう高い誤り率に遭遇する状況。短い巡回プレフィックス（ＣＰ）が適切である場合、第１の手法は、パイロットがＣＱＩであるかＣＱＩ＋ＡＣＫであるかを信号で知らせるために、２つの異なるウォルシュカバーを使用することによって、パイロット支援シグナリングを利用する。１つのパイロットを有する長いＣＰが適切である場合、それぞれのモードに関するコードブックを別々に最適化するだけであるが、これらの２つのコード間隔の間の距離も最小限に抑える、ＣＱＩおよびＣＱＩ＋ＡＣＫに関する２つの異なるコード設計が提供される。かかる線形ブロック符号を探索するために、様々なコセットベースの手法が説明される。良好なコードを示した初期の結果は、誤認警告および誤検出を最低限に抑えるためのコセットベースの手法に基づいて見出されることが可能である。最終的に、このメモにおける説明は、リードマラー符号またはゴーレイ符号など、線状ブロック符号だけに関するが、同じ手法は、通常の畳込み符号またはテイルバイティング（tail biting）畳込み符号に適用されることも可能である。
【００２６】
次に、図面を参照して、様々な態様が説明される。以下の説明において、説明のために、１つまたは複数の態様の十分な理解をもたらす目的で、多数の特定の詳細が記載される。しかし、これらの様々な態様は、これらの特定の詳細なしに実施され得ることは明らかであり得る。その他の場合、よく知られている構造およびデバイスは、これらの態様の説明を円滑にする目的で、ブロック図の形で示される。
【００２７】
本出願において使用される場合、「構成要素」、「モジュール」、「システム」などの用語は、コンピュータ関連のエンティティ、すなわち、ハードウェア、ハードウェアとソフトウェアの組合せ、ソフトウェア、または実行中のソフトウェアを指すことが意図される。例えば、構成要素は、プロセッサ上で実行しているプロセス、プロセッサ、オブジェクト、実行可能物、実行のスレッド、プログラム、またはコンピュータであり得るが、これらであると限定されない。例示として、サーバ上で実行しているアプリケーションおよびサーバは両方とも、構成要素であり得る。１つまたは複数の構成要素は、プロセスもしくは実行のスレッドの中に存在してよく、構成要素は、１つのコンピュータ上に局在してよく、または２つ以上のコンピュータ同士の間で分散されてもよい。
【００２８】
「例示的な」という用語は、本明細書において、例、事例、または例示として機能することを意味するために使用される。本明細書において、「例示的な」として説明される任意の態様または設計は、その他の態様もしくは設計に勝って好ましいまたは有利であると解釈されるとは限らない。
【００２９】
さらに、１つまたは複数のバージョンは、開示された態様を実装するようにコンピュータを制御するためのソフトウェア、ファームウェア、ハードウェア、またはそれらの任意の組合せを作成するために、標準のプログラミング技法またはエンジニアリング技法を使用して、方法、装置、または製品として実装されることが可能である。「製品」（またはその代わりに、「コンピュータ・プログラム製品」）という用語は、本明細書で使用される場合、任意のコンピュータ可読デバイス、コンピュータ可読キャリア、またはコンピュータ可読媒体からアクセス可能なコンピュータ・プログラムを包含することが意図される。例えば、コンピュータ可読媒体は、磁気記憶デバイス（例えば、ハードディスク、フロッピー（登録商標）ディスク、磁気ストリップ．．．）、光ディスク（例えば、コンパクトディスク（ＣＤ）、ディジタル多目的ディスク（ＤＶＤ）．．．）、スマートカード、およびフラッシュメモリデバイス（例えば、カード、スティック）を含み得るが、これらに限定されない。加えて、搬送波は、電子メールを送受信する際に、またはインターネットもしくはローカルエリアネットワーク（ＬＡＮ）などのネットワークにアクセスする際に使用されるものなど、コンピュータ可読電子データを運ぶために用いられることが可能である点を理解されたい。当然、当業者は、開示される態様の範囲から逸脱せずに、この構成に対して、多くの修正が行われ得ることを理解するであろう。
【００３０】
様々な態様は、いくつかの構成要素、モジュールなどを含み得るシステムの点から提示される。様々なシステムは、追加の構成要素、モジュールなどを含むことが可能であり、または図面に関して議論される、構成要素、モジュールなどのすべてを含まなくてもよい点を理解および認識されたい。これらの手法の組合せが使用されることも可能である。本明細書で開示される様々な態様は、タッチスクリーンディスプレイ技術またはマウスアンドキーボードタイプのインターフェースを利用するデバイスを含めて、電子デバイス上で実行されることが可能である。かかるデバイスの例は、コンピュータ（デスクトップおよび移動体）、スマートフォン、携帯情報端末（ＰＤＡ）、ならびに有線および無線の両方のその他の電子デバイスを含む。
【００３１】
初めに、図１を参照すると、送信機デバイス１０２および受信機デバイス１０４の通信ネットワーク１００は、受信機デバイス１０４が、送信機デバイス１０２がダウンリンクチャネル１１０上でダウンリンク割当て１０８を受信したかどうかを知ることなく、物理アップリンク制御チャネル（ＰＵＣＣＨ）１０６上でなど、アップリンク基準信号のあいまい性のない検出を円滑にする。特に、送信機デバイス１０２は、ＣＱＩまたはＣＱＩ＋Ａｃｋのブラインド復号に関する、至適に間隔が空けられた符号分割多重化（ＣＤＭ）コードブロック１１１を送る。例示的な態様では、受信機デバイス１０４は、それぞれが、受信機１１６を用いて制御信号に関して監視している、複数の送信機デバイス１０２（例えば、移動体通信デバイス）を管理するために送信機１１４を使用するネットワーク・コントローラ１１２を有する進化型ベースノード（ｅノードＢ）を備え得る。通信ネットワーク１１０の管理を支援するために、それぞれの送信機デバイス１０２は、受信機１０４に対する伝送のために、基準信号（例えば、チャネル品質指示子（ＣＱＩ））を作成する目的で、チャネル品質構成要素１１８を使用する。送信機デバイス１０２のモビリティ、変化するチャネル状態、および周期的な非アクティブ状態により、多くの場合、送信機デバイス１０２は、受信機デバイス１０４からのデータまたはコマンドの受信を確認する肯定応答モード（ＡＭ）トランシーバ１２０を備え、受信機デバイス１０４も、ＡＭトランシーバ１２２を備える。
【００３２】
特定の態様では、送信機デバイス１０２は、ダウンリンク割当て１０８が受信されたか否かに応じて、ＡＣＫの包括を伴うＣＱＩおよびＡＣＫを同じサブフレーム内で送信することができる。ＡＣＫがＰＵＣＣＨサブフレーム内に含まれるか否かの非あいまい性を拡張するために、ＰＵＣＣＨコーダ１２４は、ＡＭトランシーバ１２０が短いＣＰ数値構成要素１２６を使用しているか、または長いＣＰ数値構成要素１２８を使用しているかに応じて、適切なコーディングを用いる。特に、短いＣＰの場合、１３２によって示されるウォルシュカバー符号化パイロット信号を作成するために、ＰＵＣＣＨコーダ１２４によって使用されるパイロット支援シグナリング構成要素１３０は、それに応じて、ＣＱＩ符号化基準信号またはＣＱＩ＋ＡＣＫ符号化基準信号１３４に関して組み込まれる。受信機１０４において、ＰＵＣＣＨ復号器１３６は、あいまい性を伴わずに、ＣＱＩまたはＣＱＩ＋ＡＣＫを取り出すために、デュアル・パイロット・シグナリング・ウォルシュ逆拡散およびエネルギー比較構成要素１３８を用いる。
【００３３】
長いＣＰの場合、１４４に示されるように、（２０，８）線形符号化ブロックとして、ＣＱＩを送るために、または（２０，１０）線形符号ブロックとして、適切にコード間隔が空けられたＣＱＩ−ＡＣＫを送るために、１４２に示されるように、最適化された線形符号ブロックを作成する目的で、ＰＵＣＣＨコーダ１２４の（２０，８）／（２０，１０）コセットベースの符号標識構成要素１４０が使用される。（２０，８）仮説および（２０，１０）仮説の両方に関するブラインド復号器構成要素１４６は、ＰＵＣＣＨ復号器１３６において、送られたものを一義的に検出する。
【００３４】
あるいは、長いＣＰの場合、ＰＵＣＣＨコーダ１２４の５−Ａｃｋ（２０，８）コセットベースのコード設計構成要素１４８は、異なるＡＣＫ状態向けの５つのオフセットを有する（２０，８）線形符号化ブロックのブラインド復号器によるＰＵＣＣＨ復号器１３６における検出のために、１５２に示される８ビットのＣＱＩおよび２ビットのＡＣＫに適用される、１５０に示される、５つのコセットベースのコード設計された（２０，８）線形符号ブロックのうちの適切な１つを選択することを可能にする。
【００３５】
パイロット支援シグナリング。図２の２００において示される短い巡回プレフィックス（ＣＰ）数値において、スロット当たり２個のパイロット信号記号を用いて、第１の手法は、パイロット支援シグナリングを提供する。図２に示されるように、ＵＬチャネル構造２００は、２個のパイロットを有する。それぞれのパイロット記号は、オフセット２だけベースＣＡＺＡＣ系列を循環桁送りすることによって、６人（６人）の直交多重化されたユーザをサポートすることが可能である。（ＣＡＺＡＣと省略された）定振幅ゼロ自己相関波形（constant amplitude zero autocorrelation waveform）は、モジュラ１および０の自己相関を有する周期的な複素値信号である。これは、以下に提供される解析に基づいて、６人のＣＱＩユーザを分離するのに十分である。
【００３６】
ＣＱＩ伝送またはＣＱＩ＋ＡＣＫ伝送の間のあいまい性を除去するために、発明者は、パイロット間隔上で長さ２（２）のウォルシュカバーを単に利用することができた。例えば、発明者は、ＣＱＩだけの伝送を示すために、２個のパイロット記号内でウォルシュカバー（１，１）を使用することができ、ＣＱＩ＋ＡＣＫ伝送を示すために、２個のパイロット記号内でウォルシュカバー（１，−１）を使用することができた。２個のパイロット記号を通して循環桁送りホッピングが使用されることが依然として可能である。受信機側において、初めに、両方のパイロット記号に関して、周波数領域逆拡散が行われるべきである。次いで、どのウォルシュカバーが使用されるのかを決定し、したがって、ＣＱＩが送信されるか、またはＣＱＩ＋ＡＣＫが送信されるかを決定するために、両方のウォルシュカバーを使用した時間領域逆拡散と、その後に続く、エネルギー比較とが行われるべきである。ＣＱＩ伝送モードであるか、ＣＱＩ＋ＡＣＫ伝送モードであるかが知られると、対応する情報を復号するために、（２０，ｎ）または（２０，ｎ＋ｋ）の復号アルゴリズムが適用されることが可能である。
【００３７】
このプロセスによって引き起こされる複雑さは、ｅＮＢ処理の残りの部分と比較して非常に些細な、追加のウォルシュ逆拡散およびエネルギー比較である。干渉推定、チャネル推定、データ復調、およびデータ復号は、ＣＱＩだけのチャネルプロセスと同じである。
【００３８】
図３に示される長いＣＰ構造３００など、１つのパイロットスロットだけが利用可能な場合、第１の代替案が、コセットベースのコード設計によって提供される。この手法では、コセットベースのコード設計は、ＣＱＩチャネルまたはＣＱＩ＋ＡＣＫチャネルに関するブラインド復号を円滑にする。通常の線形符号化方式を使用すると、（ｍ，ｎ）コードと（ｍ，ｎ＋ｋ）コードの間隔は、恣意的に近接し得るため、これらの２つのコードの間を区別することはできない。設計理念は、この障害を克服するために、（ｍ，ｎ）コードのコード語で構成されたｎ次元の超平面と、（ｍ，ｎ＋ｋ）コードのコード語で構成された（ｎ＋ｋ）次元の超平面が互いに並列であり、かつ最大距離を備えることを可能にすると有利である。
【００３９】
コード最適化に関する設計基準は、それぞれのコードの距離スペクトルが最適化されて、これらの２つのコードのコード語から構成される２つの超平面の間の距離が最大になるような、２つの線形符号（ｍ，ｎ）および（ｍ，ｎ＋ｋ）を見出すことである。
【００４０】
この最適化問題のブルートフォース（brute force）次元は、ＧＦ（２）において２ｍである。この問題を解決するためのブルートフォース手法の代わりに、本発明者は、この解決法を見出すために、線形ブロック符号のコセットの諸特性を利用する。
【００４１】
その要素がＧＦ（２）内にある、最適化された（ｍ，ｎ＋ｋ）線形ブロック符号を考慮して、発明者は、このブロック符号の生成行列の列によって補われた次元２（ｎ＋ｋ）を有するサブスペースＳを見出すことができた。このサブスペース内の２（ｎ＋ｋ）ベクトルは、演算＋および単位元（０，．．．，０）’を有するグループＧと見なされることも可能である。次いで、発明者は、このグループのコセット
【数１】
2011503927.tif 000003
【００４２】
または、サブスペースＳに対して並列な超平面を見出すことができた。Ｓおよびすべての超平面から、発明者は、最大距離Ｓ１およびＳ２を有する２つのコセット、または最大のハミング距離を有する、同等な２つのコセットａ＋Ｇおよびｂ＋Ｇを見出すことができた。Ｇから、発明者は、（ｍ，ｎ）線形ブロック符号から生成された最善のサブグループ
【数２】
2011503927.tif 000004
【００４３】
または、次元２ｎを有する、同等なサブスペース
【数３】
2011503927.tif 000005
【００４４】
を見出すことができた。最善によって、本発明者は、符号語同士の間の距離スペクトルを意味する。その場合、
【数４】
2011503927.tif 000006
【００４５】
は、
【数５】
2011503927.tif 000007
【００４６】
のコセットであり、ａ＋Ｇのサブセットである。また、
【数６】
2011503927.tif 000008
【００４７】
の要素から構成された２ｎ次元超平面
【数７】
2011503927.tif 000009
【００４８】
は、２（ｎ＋ｋ）次元超平面Ｓ１内に存在する。明らかに、
【数８】
2011503927.tif 000010
【００４９】
は、Ｓ２に対して並列である（図４を参照されたい）。
【数９】
2011503927.tif 000011
【００５０】
内にオフセットａを有する（ｍ，ｎ）線形ブロック符号、およびｂ＋Ｇ内にオフセットｂを有する（ｍ，ｎ＋ｋ）線形ブロック符号は、本発明者の準最適の解決法である。この解決法は、最善の（ｍ，ｎ＋ｋ）コードを提示する。しかし、本発明者は、グループ
【数１０】
2011503927.tif 000012
【００５１】
をＧのサブグループに制約したため、取得された（ｍ，ｎ）コードは、最善でない可能性がある。（ｍ，ｎ＋ｋ）コードによって構成された超平面Ｓ２と（ｍ，ｎ）コードによる
【数１１】
2011503927.tif 000013
【００５２】
との間の距離は、本発明者の構造によれば、（ｍ，ｎ＋ｋ）コードに関して最大である。
【００５３】
もう１つの方法は、その要素がＧＦ（２）内にある最適化された（ｍ，ｎ）線形ブロック符号を考慮して、本発明者は、このブロック符号の生成行列の列によって補われた次元２ｎを有するサブスペース
【数１２】
2011503927.tif 000014
【００５４】
を見出すことができたことである。このサブスペースの２ｎベクトルは、演算＋および単位元（０，．．．，０）’を有するグループ
【数１３】
2011503927.tif 000015
【００５５】
と見なされることも可能である。
【数１４】
2011503927.tif 000016
【００５６】
から、本発明者は、それを（ｍ，ｎ＋ｋ）線形ブロック符号から生成された、いくつかのＧに拡張することができ、または同等に、本発明者は、
【数１５】
2011503927.tif 000017
【００５７】
を含む２（ｎ＋ｋ）次元サブスペースＳを見出す。Ｇを見出すための基準は、符号語同士の間の最低距離を最小限に抑える可能性がある。場合によっては、同じ最低距離を有する２つ以上のＧが存在する。所与のＳおよびＧに関して、本発明者は、コセット
【数１６】
2011503927.tif 000018
【００５８】
または、サブスペースＳに対して並列な超平面を見出すことができた。Ｓおよびすべての超平面から、本発明者は、最大距離Ｓ１およびＳ２を有する２つのコセット、または、同等に、最大のハミング距離を有する２つのコセットａ＋Ｇおよびｂ＋Ｇを見出すことができた。その場合、
【数１７】
2011503927.tif 000019
【００５９】
は、ａ＋Ｇのサブセットである
【数１８】
2011503927.tif 000020
【００６０】
のコセットである。また、
【数１９】
2011503927.tif 000021
【００６１】
から生成された２（ｎ＋ｋ）次元超平面
【数２０】
2011503927.tif 000022
【００６２】
は、２ｎ次元超平面Ｓ１内に存在する。明らかに、
【数２１】
2011503927.tif 000023
【００６３】
は、Ｓ２に対して並列である。
【数２２】
2011503927.tif 000024
【００６４】
内にオフセットａを有する（ｍ，ｎ）線形ブロック符号、およびｂ＋Ｇ内にオフセットｂを有する（ｍ，ｎ＋ｋ）線形ブロック符号は、本発明者の準最適の解決法である。この解決法は、最善の（ｍ，ｎ）コードを提示する。しかし、本発明者は、グループＧをグループ
【数２３】
2011503927.tif 000025
【００６５】
に制約したため、取得された（ｍ，ｎ＋ｋ）コードは、最善でない可能性がある。（ｍ，ｎ＋ｋ）コードによって構成された超平面Ｓ２と（ｍ，ｎ）コードによる
【数２４】
2011503927.tif 000026
【００６６】
との間の距離は、本発明者の構造によれば、（ｍ，ｎ＋ｋ）コードに関して最大である。
【００６７】
上記の２つの方法は、元の最適化問題の準最適の解決法を提示する。最善の（ｍ，ｎ）コードによって生成された２ｎ次元サブスペースが、最善の（ｍ，ｎ＋ｋ）によって生成された２（ｎ＋ｋ）次元サブスペースでない場合、（ｍ，ｎ）および（ｍ，ｎ＋ｋ）が最適である解決法を得ない可能性がある点に留意されたい。この場合、（ｍ，ｎ）コードおよび（ｍ，ｎ＋ｋ）コードのいずれも最適でない（当然、それほど悪くはない）が、これらの２つのコードによって構成された超平面同士の間の距離が最大である解決法が存在し得る。
【００６８】
（２０，８）および（２０，１０）に関するコセットベースのコード設計の例。列および行をパンクチャリングすることによって、最善の（２０，８）線形ブロック符号を見出すために、本発明者は、（２４，１２）ゴーレイ符号から始める。実際に、下に示すように、本発明者が見出したコードは、最善の線形ブロック符号と同じ距離スペクトルを有する。次に、本発明者は、最低距離６を有する（２０，１０）線形ブロック符号を見出すために、上で説明された第２の方法を使用する。次いで、このコードを用いて、本発明者は、そのハミング距離が、最善の（２０，８）コードによって生成されたグループから５である、最善のコセットを見出す。
【００６９】
コードブックが指定されると、ＣＱＩ＋ＡＣＫを送信する目的で、８ビットのＣＱＩまたは（２０，１０）コードを送信するために（２０，８）を使用することが可能である。ｅＮＢ受信機は、伝送のためにどのモードが使用されたかを識別するために、（２０，８）および（２０，１０）のブラインド復号を行わねばならない。コセットベースの手法は、これらの２つの事例の間のコード間隔分離を最大化し、それにより、誤認警告および誤検出を最小限に抑える。
【００７０】
第２の代替案として、ＣＱＩおよびＣＱＩ＋ＡＣＫをブラインド復号するための、長いＣＰ数値に関するもう１つのコセットベースのコード設計が提供される。Ｅ−ＵＴＲＡにおいて、ＵＥは、（１つの符号語に関して）１ビットのＡＣＫ情報、または（２つの符号語に関して）２ビットのＡＣＫ情報をｅＮＢに送る。次いで、本発明者が明確にする必要があるＡＣＫの総状態は、ＤＴＸ、（ＡＣＫ，ＡＣＫ）、（ＡＣＫ，ＮＡＣＫ）、（ＮＡＣＫ，ＡＣＫ）、および（ＮＡＣＫ，ＮＡＣＫ）の５つ以下である。
【００７１】
理論上、本発明者は、
【数２５】
2011503927.tif 000027
【００７２】
である限り、その要素がＧＳ（２）内にある５つの分離（disjoint）（ｍ，ｎ）コードを見出すことができた。ＧＦ（２）は、ほぼ、常に、「０」および「１」と見なされ得る２つの要素のガロア体（すなわち、有限体）である。その場合、５つ（５つ）のＡＣＫ状態を表すために、これらの５つ（５つ）のセットを使用する。コード探索の基準は、すべての５つの（ｍ，ｎ）コードの最低距離は、可能な限り大きく、これらの（ｍ，ｎ）コードの任意の対同士の間の最低距離は、可能な限り大きいことであるべきである。
【００７３】
この最適化問題のブルートフォース次元はＧＦ（２）において２ｍである。この問題を解決するためのブルートフォース手段の代わりに、本発明者は、解決法を見出すために、線形ブロック符号のコセットの諸特性を活用する。最適の線形（ｍ，ｎ）コードから初めて、本発明者は、それから分離している２（ｍ−ｎ）コセットを見出すことができた。すべてのこれらのコセットから、本発明者は、元のコードと共に、対の点で最大距離を有する、それらのコセットのうちの４つを見出すことができた。
【００７４】
（２０，８）コードに関する例示的なコード設計。（２４，１２）ゴーレイ符号からパンクチャリングされた、図５の５００に示される最適の（２０，８）コードから始めて、本発明者は、その最低距離が元のコードに対して７であり、かつ、図６の６００に示されるように、対の点で距離が６である４つのコセットを見出すことができた。
【００７５】
コードブックが指定されると、８ビットのＣＱＩおよび２ビットのＡＣＫを送信するために、これらの５つの（２０，８）コードを使用することが可能である。ｅＮＢ受信機は、伝送のためにどのＡＣＫビットが使用されたかを識別する目的で、これら５つの（２０，８）コードのブラインド復号を行わねばならない。コセットベースの手法は、これら５つの（２０，８）コードの間のコード間隔分離を最大化し、それにより、誤認警告および誤検出を最低限に抑える。
【００７６】
第１のコセットベースの手法と比較して、これら５つの（２０，８）コードの任意の対同士の間の最低距離は、本発明者が見出した（２０，８）コードおよび（２０，１０）コードの間の最低距離より大きい６であるため、ＤＴＸとＡＣＫの間の誤認警告ならびに誤検出は、さらに小さいはずである。本発明者は、この手法において、最適の（２０，８）コードから始めたため、すべての５つの（２０，８）コードはそれ自身、最適である。
【００７７】
複雑さの点で、単一記号最尤（ＭＬ）復号を使用する場合、本発明者は、両方の手法に関して、２１０２４比較＋２２５６比較を行う必要がある。この第２の手法では、すべての５つの（２０，８）コードは、異なるオフセットを除いて、同じ構造を有するため、本発明者は、それらのうちの５つを生み出す代わりに、同じ復号構造を再使用することが可能である。
【００７８】
図７は、特許請求される主題による方法論および／または流れ図を例示する。説明を簡単にするために、これらの方法論は、一連の動作として示され、かつ説明される。主題の革新は、例示された動作および／または動作の順序に限定されない点を理解および認識されたい。例えば、動作は、様々な順序でかつ／または同時に発生することが可能であり、本明細書で提示および説明されないその他の動作と共に発生することが可能である。さらに、特許請求される主題に従って、これらの方法論を実装するために、例示されるすべての動作が求められない場合もある。加えて、当業者は、これらの方法論は、あるいは、状態図または事象を介して、一連の相関された状態として表されることも可能である点を理解および認識されよう。加えて、以下で、かつ本明細書を通じて開示される方法論は、かかる方法論をコンピュータ内に移送および転送するのを円滑にするために、製品内に格納されていることが可能である点をさらに認識されたい。製品という用語は、本明細書で使用される場合、任意のコンピュータ可読デバイス、コンピュータ可読キャリア、またはコンピュータ可読媒体からアクセス可能なコンピュータ・プログラムを包括することが意図される。
【００７９】
図７を参照すると、方法論７００は、一義的にブラインド復号されることが可能な基準信号（例えば、ＣＱＩ）を受信機デバイス７０４（例えば、ｅノードＢ）に送信するために、アップリンク基準チャネル（例えば、ＰＵＣＣＨ）を使用する送信機デバイス７０２（例えば、移動体通信デバイス）によって実行される。７１０に示されるように、受信機デバイス７０４は、成功裏に検出された場合、肯定応答（ＡＣＫ）、または少なくとも否定応答（ＮＡＫ）をプロンプト表示する、ダウンリンク割当てを送信する。しかし、ＣＱＩおよびＡＣＫの両方が、アップリンク（ＵＬ）データ伝送を伴わずに、同じサブフレーム内で送信される必要があるとき、受信機デバイス７０４は、基準信号と共に肯定応答を期待すべきか否かを知らない。
【００８０】
ブロック７１２に示されるように、送信機デバイス７０２は、短い巡回プレフィックス（ＣＰ）数値を実行するように事前に構成されるか、またはそうであることを動的に決定する。そうである場合、ブロック７１４において、ＣＱＩが送信されているか、またはＣＱＩ＋ＡＣＫが送信されているかを示すために、長さ２のウォルシュカバー（１，１）が２個のパイロット記号に適用される。次いで、７１６に示されるように、それぞれが、オフセット２’だけベースＣＡＺＡＣ系列を循環桁送りすることによって、６人の直交多重化されたユーザをサポートしている２個のパイロット記号を用いて、ＰＵＣＣＨ伝送が行われる。受信機デバイス７０４は、７１８に示されるように、正確な仮説を検出するために、ウォルシュ逆拡散を行い、エネルギー比較を実行することによって、この事例「１」を完了する。この受信は、ブロック７２０に示されるように、干渉推定、チャネル推定、データ復調、およびデータ復号も含む。
【００８１】
長いＣＰ数値（１個のパイロット記号）が使用されている場合、ブロック７２２に示されるように、あいまい性を回避するために、コセットベースのコード設計を用いて、送信機デバイス７０２によって、ブラインド復号が円滑にされる。事例「２ａ」において、送信機デバイス７０２は、ＣＱＩ＋ＡＣＫに関する（ｍ，ｎ＋ｋ）からＣＱＩだけに関する（ｍ，ｎ）コード間のコード間隔を最大化する。一例の場合、ブロック７２６に示されるように、最大距離に関して（２０，１０）が見出された状態で、最適の（２４，１２）ゴーレイ符号がＣＱＩだけの伝送のために、（２０，８）に対してパンクチャリングされる。ブロック７２８に示されるもう１つの例の場合、コセットベースの符号標識によって、（２０，８）からの最大距離に関して（２０，１０）が選択された状態で、（２０，８）および（２０，１０）に対して最適の（３２，１０）リードマラー符号がパンクチャリングされる。７３０に示される追加の態様として、コセットベースのコード設計によって最適化された最大距離と共に、通常の畳込み符号またはテイルバイティング畳込み符号が使用される。次いで、７３２に示されるように、８ビットのＣＱＩが符号化されて、（２０，８）線形符号ブロックを用いて送信されるか、または８ビットのＣＱＩおよび２ビットのＡＣＫが符号化されて、（２０，１０）線形符号ブロックを用いて送信される。受信機は、（２０，８）仮説および（２０，１０）仮説の両方を用いて、受信された、符号化された基準信号をブラインド復号することによって事例２ａを終了する。
【００８２】
あるいは、ブロック７３６に示されるように、長いＣＰ数値の場合、符号距離は、５つのＡＣＫ状態の間で最大化される。例えば、（２４，１２）ゴーレイ符号は、最適の（２０，８）線形符号ブロックに対してパンクチャリングされる。次いで、ブロック７３８に示されるように、元から７の最低距離を有し、少なくとも対の点で６の距離を有する４つのコセットが見出される。次いで、７４０に示されるように、８ビットのＣＱＩおよび２ビットのＡＣＫが符号化されて、５つの（２０，８）線形符号ブロックのうちの１つを使用して送信される。受信機デバイス７０４は、ＡＣＫ状態を検出するために、同じ復号構造を有するが、５つの異なるオフセットを有する最尤（ＭＬ）復号を使用することによって、事例２ｂを終了する。
【００８３】
図８を参照すると、一態様では、通信システム８００は、本明細書の態様に従って修正された３ＧＰＰ  ＬＴＥ（第３世代パートナーシッププロジェクトロングタームエボリューション）プロトコルによる、やはり示されるその他のｅＮＢ８１０、８１２と共に、ユーザ機器（ＵＥ）８０６と１個の進化型ベースノード（ｅＮＢ）８０８との間に優先状態報告システム８０４を組み込む、進化型ユニバーサル移動体通信システム（ＵＭＴＳ）地上波無線アクセスネットワーク（Ｅ−ＵＴＲＡＮ）８０２を含む。
【００８４】
ｅノードＢ８０８、８１０、８１２は、ＵＥ８０６に対して、ＵＭＴＳ地上波無線アクセス（Ｅ−ＵＴＲＡ）ユーザプレーンおよび制御プレーン（ＲＲＣ）プロトコル終端を提供する。ユーザプレーンは、３ＧＰＰ（第３世代パートナーシッププロジェクト）パケットデータ収束プロトコル（ＰＤＣＰ）、無線リンク制御（ＲＬＣ）、媒体アクセス制御（ＭＡＣ）、および物理層制御（ＰＨＹ）を備えることが可能である。ｅノードＢ８１０〜１１２は、Ｘ２インターフェース（「Ｘ２」）によって互いに相互接続される。ｅノードＢ８０８、８１０、８１２は、Ｓ１インターフェース（「Ｓ１」）によってＥＰＣ（進化型パケットコア）に、より詳細には、データパケットネットワーク８２０に接続されたモビリティ管理エンティティ／サービス提供ゲートウェイ（ＭＭＥ／Ｓ−ＧＷ）８１６、８１８にも接続される。Ｓ１インターフェースは、ＭＭＥ／Ｓ−ＧＷ８１６、８１８と、ｅノードＢ８０８、８１０、８１２の間の多対多関係をサポートする。ｅノードＢ８０８、８１０、８１２の間のネットワークインターフェースＸ２は、ハンドオーバーおよびその他の機能を調整するために使用される。エアリンク８２２は、ｅノードＢ８０８とＵＥ８０６との間でアクティブである。
【００８５】
ｅノードＢ８０８、８１０、８１２は、以下の機能をホストする。すなわち、無線リソース管理、無線ベアラ制御、無線承認制御、接続モビリティ制御、アップリンクおよびダウンリンクの両方におけるＵＥ８０６に対するリソースの動的割当て（スケジューリング）、ユーザ・データストリームのＩＰヘッダ圧縮および暗号化、ＵＥ付属装置におけるＭＭＥの選択、サービス提供ゲートウェイに対するユーザプレーンデータのルーティング、（ＭＭＥから発生した）ページングメッセージのスケジューリングおよび伝送、ブロードキャスト情報のスケジューリングおよび伝送、ならびにモビリティとスケジューリングとに関する測定および測定報告構成である。
【００８６】
ＭＭＥは、以下の機能をホストする。すなわち、ｅノードＢ８０８、８１０、８１２に対するページングメッセージの配信、セキュリティ制御、アイドル状態モビリティ制御、システムアーキテクチャエボリューション（ＳＡＥ）ベアラ制御、ノンアクセスストラタム（ＮＡＳ）シグナリングの暗号化および完全性保護である。サービス提供ゲートウェイは、以下の機能をホストする。すなわち、ページングのためのＵプレーンパケットの終了、およびＵＥモビリティをサポートするためのＵプレーンの交換である。
【００８７】
ｅノードＢ８０８からのエアリンク８２２の無線（ＯＴＡ）ダウンリンク（ＤＬ）８２４は、ダウンロード割当てに関する複数の通信チャネルを含み得る。ＬＴＥダウンリンク８２４に関して、３つの異なるタイプの物理（ＰＨＹ）チャネルが画定される。物理チャネルの１つの一般的な特性は、物理チャネルはすべて、ＬＴＥスタック内のより高いレイヤから情報を伝えることである。これは、ＰＨＹ層内で排他的に使用される情報を伝える物理信号と対照的である。
【００８８】
ＬＴＥ  ＤＬ物理チャネルは、物理ダウンリンク共有チャネル（ＰＤＳＣＨ）、物理ダウンリンク制御チャネル（ＰＤＣＣＨ）、および共通制御物理チャネル（ＣＣＰＣＨ）である。物理チャネルは、Ｌ２レイヤ／Ｌ３レイヤに関するサービス・アクセスポイント（ＳＡＰ）であるトランスポート・チャネルにマップする。それぞれの物理チャネルは、ビットスクランブリング、変調、レイヤマッピング、周期的遅延ダイバーシティ（ＣＤＤ）プリコーディング、リソース要素割当てに関して画定されたアルゴリズムを有し、レイヤマッピングおよびプリコーディングは、ＭＩＭＯアプリケーションに関係する。レイヤは、空間多重化チャネルに対応する。
【００８９】
ブロードキャスト・チャネル（ＢＣＨ）は、固定フォーマットを有し、セルの受信可能範囲領域全体にわたってブロードキャストされる。ダウンリンク共有チャネル（ＤＬ−ＳＣＨ）は、ハイブリッドＡＲＱ（ＨＡＲＱ）をサポートし、変調、コーディング、および送信電力を変えることによって、動的リンク適応をサポートし、セル受信可能範囲領域全体にわたる伝送に適し、ビーム形成と共に使用するのに適し、動的リソース割当ておよび半静的リソース割当てをサポートし、電力節約のために、間欠受信（ＤＲＸ）をサポートする。ページングチャネル（ＰＣＨ）は、ＵＥ  ＤＲＸをサポートし、セル受信可能範囲領域全体にわたるブロードキャストを必要とし、動的に割り当てられた物理リソースにマップされる。マルチキャストチャネル（ＭＣＨ）は、セル受信可能範囲領域全体にわたるブロードキャストのために求められ、マルチキャスト／ブロードキャスト単一周波数ネットワーク（ＭＢ−ＳＦＮ）をサポートし、半静的リソース割当てをサポートする。サポートされるトランスポート・チャネルは、ブロードキャスト・チャネル（ＢＣＨ）、ページングチャネル（ＰＣＨ）、ダウンリンク共有チャネル（ＤＬ−ＳＣＨ）、およびマルチキャストチャネル（ＭＣＨ）である。トランスポート・チャネルは、以下の機能を提供する。すなわち、より高いレイヤに／より高いレイヤからデータを渡すための構造、それにより、より高いレイヤが、より高いレイヤに対するＰＨＹ状態指示子（パケット誤り、ＣＱＩなど）を構成することが可能な機構、およびより高いレイヤのピアツーピアシグナリングのサポートである。トランスポート・チャネルは、次のように物理チャネルにマップされる。すなわち、ＰＤＳＣＨに対するマッピングが考慮中であるが、ＢＣＨは、ＣＣＰＣＨにマップする。ＰＣＨおよびＤＬ−ＳＣＨは、ＰＤＳＣＨにマップする。ＭＣＨはＰＤＳＣＨにマップされることが可能である。
【００９０】
送信機（例えば、ＤＬ８２４向けのｅＮＢ８０８、またはアップリンク（ＵＬ）８２６向けのＵＥ８０６）のより高いレベルのプロトコルまたはアプリケーションは、パケットデータユニット（ＰＤＵ）を作成する暗号化などの機能に関するパケットデータ収束プロトコル（ＰＤＣＰ）など、上層プロトコルに対して、サービス・データ・ユニット（ＳＤＵ）として転送されるインターネット・プロトコル（ＩＰ）パケットなどの通信に関するコンテンツを有する。ＰＤＣＰは、サービス・データ・ユニット（ＳＤＵ）として、ＰＤＵを、無線リンクレイヤ（ＲＬＣ）など、より低いレイヤのプロトコルのサービス・アクセスポイントにトランスポートする。
【００９１】
ＰＤＣＰおよびＲＬＣは、中でも、例えば、３ＧＰＰにおけるＨＳＰＡのＲＬＣおよびＬＴＥのＲＬＣなど、ＡＲＱ（自動再送要求）を可能にする、電気通信システムの「レイヤ２」内の隣接するプロトコルである。さらに、本明細書で説明される態様および技法は、ＣＤＭＡ、ＴＤＭＡ、ＦＤＭＡ、ＯＦＤＭＡ、ＳＣ−ＦＤＭＡ、およびその他のシステムなど、様々な無線通信システムに関して使用されることが可能である。「システム」および「ネットワーク」という用語は、多くの場合、交換可能に使用される。ＣＤＭＡシステムは、ユニバーサル地上無線アクセス（ＵＴＲＡ）、ｃｄｍａ２０００などの無線技術を実装することが可能である。ＵＴＲＡは、広帯域ＣＤＭＡ（Ｗ−ＣＤＭＡ）およびＣＤＭＡのその他の改変形態を含む。ＣＤＭＡ２０００は、ＩＳ−２０００標準、ＩＳ−９５標準、およびＩＳ−８５６標準をカバーする。ＴＤＭＡシステムは、移動体通信用グローバルシステム（ＧＳＭ）などの無線技術を実装することが可能である。ＯＦＤＭＡシステムは、進化型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）などの無線技術を実装することが可能である。ＵＴＲＡは、ユニバーサル移動体通信システム（ＵＭＴＳ）の一部である。Ｅ−ＵＴＲＡは、ダウンリンク上でＯＦＤＭＡを用い、アップリンク上でＳＣ−ＦＤＭＡを用いる、３ＧＰＰの次回のバージョンである、３ＧＰＰロングタームエボリューションの一部である。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名づけられた団体からの文書において説明される。ＣＤＭＡ２０００およびＵＭＢは、「第３世代パートナーシッププロジェクト２」（３ＧＰＰ２）と名づけられた団体からの文書において説明される。これらの様々な無線技術および無線標準は、当技術分野で知られている。
【００９２】
ｅノードＢ８０８は、送信機として動作し、ＵＥ８０６とのＡＭ通信を送るために、コンピュータ可読記憶媒体（メモリ）８４４内のモジュールを実行するための少なくとも１個のプロセッサ８４２を有するコンピュータプラットフォーム８４０を有利に含むことが可能である。あいまい性のないＰＵＣＣＨ構成要素受信８４６は、（１つまたは複数の）プロセッサ８４２によって実行される、メモリ８４４内のコードおよびデータのセットを備え得る。例示的な態様では、第１のモジュール８４８は、肯定応答（例えば、ＡＣＫ）を含んでよく、または含まなくてもよい基準信号（例えば、ＣＱＩ）の復号に関する複数の仮説を画定する。第２のモジュール８５０は、ダウンリンク割当てを送信する。第３のモジュール８５２は、肯定応答を含んでよく、または含まなくてもよい、符号化された基準信号を後で受信する。第４のモジュール８５４は、あいまい性を伴わない複数の仮説のそれぞれを使用して、受信された、符号化された基準信号を、ブラインド復号する。
【００９３】
ＵＥ８０６は、受信機として動作し、ｅノードＢ８０８からのＡＭ通信を受信するために、コンピュータ可読記憶媒体（メモリ）８６４内のモジュールを実行するための少なくとも１個のプロセッサ８６２を有するコンピュータプラットフォーム８６０を有利に含むことが可能である。（１つまたは複数の）プロセッサ８６２は、特定用途向け集積回路（ＡＳＩＣ）、もしくはその他のチップセット、プロセッサ、論理回路、またはその他のデータ処理デバイスであり得る。あいまい性のないＰＵＣＣＨ構成要素伝送８６６は、（１つまたは複数の）プロセッサ８６２によって実行されるメモリ８６４内にコードおよびデータのセットを備え得る。例示的な態様では、第１のモジュール８６８は、基準信号、ならびに組み合わされた基準信号および肯定応答のコーディングを画定する。第２のモジュール８７０は、ダウンリンク割当てを受信しないことに応答して、スケジュールされたリソースブロックに応答して、符号化された基準信号（例えば、ＣＱＩ）を送信する。第３のモジュール８７２は、ダウンリンク割当てを受信することに応答して、符号化された、組み合わされた基準信号および肯定応答を送信し、画定されたコーディングは、あいまい性を伴わないブラインド復号仮説によって、符号化された基準信号、または符号化された、組み合わされた基準信号および肯定応答のどちらかを検出することを実現する。
【００９４】
メモリ８４４、８６４は、揮発性メモリ部分と、読出し専用メモリおよび／もしくはランダムアクセスメモリ（ＲＡＭおよびＲＯＭ）、消去可能なプログラマブル読取り専用メモリ（ＥＰＲＯＭ）、電気的に消去可能なプログラマブル読取り専用メモリ（ＥＥＰＲＯＭ）、フラッシュメモリ、ならびに／またはコンピュータプラットフォームに共通な任意のメモリなど、不揮発性メモリ部分とを備えることが可能である。さらに、メモリは、磁気媒体構成要素、光媒体構成要素、テープ構成要素、ソフトディスク構成要素および／もしくはハードディスク構成要素、ならびに着脱可能なメモリ構成要素など、電子ファイルシステムと、任意の二次的なかつ／または三次的な記憶デバイスとを含めて、アクティブなメモリと記憶メモリとを含み得る。
【００９５】
例示的な態様では、ＵＥ８０６は、移動体無線電話および／またはセルラ電話を備え得る。あるいは、ＵＥ８０６は、プロキシ呼／セッション制御機能（Ｐ−ＣＳＣＦ）サーバ、ネットワークデバイス、サーバ、コンピュータワークステーションなど、固定通信デバイスを備え得る。ＵＥ８０６は、かかる説明されたデバイスまたは例示されたデバイスに限定されず、携帯情報端末（ＰＤＡ）、双方向テキストページャ、有線通信ポータルもしくは無線通信ポータルを有するポータブルコンピュータ、および有線通信ポータルおよび／または無線通信ポータルを有する、任意のタイプのコンピュータプラットフォームをさらに含み得る点を理解されたい。さらに、ＵＥ８０６は、遠隔スレーブ、または、そのエンドユーザを有さず、単に無線ネットワークまたは有線ネットワークを通してデータを通信する遠隔センサー、遠隔サーバ、診断ツール、データリレーなど、その他の類似のデバイスであり得る。代替の態様では、ＵＥ８０６は、陸線電話、パーソナル・コンピュータ、セットトップボックスなど、有線通信デバイスであり得る。加えて、任意の数の単一のタイプまたは複数の前述のタイプのＵＥ８０６の任意の組合せが、セルラ通信システム（図示せず）において利用され得る点に留意されたい。したがって、本装置および本方法は、それに応じて、無線モデム、パーソナル・コンピュータ・メモリカード国際協会（ＰＣＭＣＩＡ）カード、アクセス端末、パーソナル・コンピュータ、電話、またはそれらの任意の組合せもしくはサブコンビネーションを限定せずに含む有線通信ポータルあるいは無線通信ポータルを含めて、任意の形態の有線デバイスもしくは無線デバイスまたはコンピュータモジュール上で実行されることが可能である。加えて、ＵＥ８０６は、ユーザ・インターフェース８７４を含み得る。
【００９６】
ユーザ・インターフェース８７４は、ＵＥ８０６内へのユーザインプットを生成または受信するように動作可能な入力装置と、ＵＥ８０６のユーザによる消費のために情報を生成および／または提示するように動作可能な出力装置と含み得る点を理解されたい。例えば、入力装置は、キーパッドおよび／またはキーボード、マウス、タッチスクリーンディスプレイ、音声認識モジュールに関連するマイクロフォンなど、少なくとも１個のデバイスを含むことが可能である。さらに、例えば、出力装置は、ディスプレイ、音声スピーカー、触覚フィードバック（haptic feedback）機構などを含むことが可能である。出力装置５０６は、グラフィカルユーザ・インターフェース、音声、振動または点字テキスト作成面などの感覚を生成することが可能である。
【００９７】
図９において、もう１つの態様では、図１の通信ネットワーク１００をサポートすることが可能な通信システム９００は、インターフェースＳ４を経由して、進化型パケットコア９０２が、そのサービス提供ＧＰＲＳサポートノード（ＳＧＳＮ）９０６がＧｂインターフェースによって移動体通信用グローバルシステム（ＧＳＭ）／エッジ無線アクセスネットワーク（ＧＥＲＡＮ）９０８に接続され、ｌｕインターフェースを経由して、ＵＴＲＡＮ９１０に接続されるレガシー汎用パケット無線サービス（ＧＰＲＳ）コア９０４とインターフェースをとるためのサポートを含む。
【００９８】
本開示の利点を有するＧＰＲＳサポートノード（ＧＳＮ）は、ＧＳＭコア・ネットワークにおけるＧＰＲＳの使用をサポートするネットワーク・ノードであることを理解されたい。ゲートウェイＧＰＲＳサポートノード（ＧＧＳＮ）およびサービス提供ＧＰＲＳサポートノード（ＳＧＳＮ）を含めて、ＧＳＮの２つの主要な改変形態が存在する。ＧＧＳＮは、ＧＰＲＳ基幹ネットワークと外部のパケットデータ・ネットワーク（無線ネットワークおよびＩＰネットワーク）との間にインターフェースを提供することが可能である。ＧＧＳＮは、ＳＧＳＮから来るＧＰＲＳパケットを適切なパケットデータプロトコル（ＰＤＰ）フォーマット（例えば、ＩＰまたはＸ．２５）に変換して、変換されたパケットを対応するパケットデータ・ネットワークに送ることが可能である。もう１つの方向において、着信データパケットのＰＤＰアドレスは、宛先ユーザのＧＳＭアドレスに変換されることが可能である。アドレスが再指定されたパケットは、次いで、責任を有するＳＧＳＮに送られることが可能である。このために、ＧＧＳＮは、ユーザの現在のＳＧＳＮアドレスおよび当該ユーザのプロファイルをそのロケーション・レジスタ内に格納することが可能である。ＧＧＳＮは、ＩＰアドレス割当てを提供することが可能であり、一般に、特定のＵＥに関するデフォルトルータである。
【００９９】
対照的に、ＳＧＳＮは、その地理的サービス領域内の移動局からの／移動局へのデータパケットの引渡しの責任を有する場合がある。ＳＧＳＮのタスクは、パケットルーティングおよび転送機能、モビリティ管理機能、論理リンク管理機能、認証および課金機能を含み得る。
【０１００】
続けると、ユーザプレーン（Ｕ−プレーン）レイヤ向けのＧＰＲＳトンネリング・プロトコル（ＧＴＰ−Ｕ）は、ユーザプレーン上で使用されることが可能であり、パケット交換領域においてユーザデータを送信するのに有用である。ユニバーサル移動体通信システム（ＵＭＴＳ）内のパケット交換網は、ＧＰＲＳに基づき、したがって、ＧＴＰ−Ｕは、ＵＭＴＳにおいて使用されることも可能である。ＵＭＴＳは、第３世代（３Ｇ）セル電話技術のうちの１つである。ＵＭＴＳは、その３Ｇ背景と、ＵＭＴＳが成功するように設計されたＧＳＭ標準の両方を示唆する、３ＧＳＭと呼ばれることもある。
【０１０１】
図９を参照すると、Ｓ４は、ユーザプレーンに、ＧＰＲＳコア９０４と、インターアクセスストラタムアンカー（ＩＡＳＡ）９１４内の３ＧＰＰアンカー９１２との間の関連制御およびモビリティ・サポートを提供し、ＳＧＳＮ９０６とゲートウェイＧＰＲＳサービス提供／サポートノード（ＧＧＳＮ）（図示せず）との間で画定されたＧｎ基準点に基づく。ＩＡＳＡ９１４は、ユーザプレーンに関連制御およびモビリティ・サポートを提供する、Ｓ５ｂインターフェースによって３ＧＰＰアンカー９１２に接続されたシステムアーキテクチャ進化型（ＳＡＥ）アンカー９１６も含む。３ＧＰＰアンカー９１２は、インターフェースＳ５ａを経由してＭＭＥ  ＵＰＥ９１８と通信する。モビリティ管理エンティティ（ＭＭＥ）は、ｅＮＢに対するページングメッセージの配信に関係し、ユーザプレーンエンティティ（ＵＰＥ）は、ユーザ・データストリームのＩＰヘッダ圧縮および暗号化、ページングのためのＵプレーンパケットの終了、およびＵＥモビリティのサポートに関するＵプレーンの交換に関係する。ＭＭＥ  ＵＰＥ９１８は、ＵＥデバイス９２２と無線で通信するために、インターフェースＳ１を経由して、進化型ＲＡＮ９２０に対して通信する。
【０１０２】
Ｓ２ｂインターフェースは、ユーザプレーンに、ＳＡＥアンカー９１６と、ＷＬＡＮアクセスネットワーク（ＮＷ）９２８も含む無線ローカルアクセスネットワーク（ＷＬＡＮ）３ＧＰＰ  ＩＰアクセス構成要素９２６の進化型パケットデータゲートウェイ（ｅＰＤＧ）９２４との間の関連制御およびモビリティ・サポートを提供する。ＳＧｉインターフェースは、インターＡＳアンカー９１６とパケットデータ・ネットワーク９３０との間の基準点である。パケットデータ・ネットワーク９３０は、例えば、ＩＰマルチメディアサブシステム（ＩＭＳ）サービスを提供するための、オペレータ外部の公衆パケットデータ・ネットワークもしくは私設パケットデータ・ネットワーク、またはオペレータ内のパケットデータ・ネットワークであり得る。このＳＧｉ基準点は、Ｇｉ機能性およびＷｉ機能性に対応し、任意の３ＧＰＰアクセスシステムおよび非３ＧＰＰアクセスシステムをサポートする。Ｒｘ＋インターフェースは、パケットデータ・ネットワーク９３０と、Ｓ７インターフェースを経由して進化型パケットコア９０２に対して通信する方針および課金規則機能（policy and charging rules function）（ＰＣＲＦ）９３２との間の通信を実現する。Ｓ７インターフェースは、ＰＣＲＦ９３２から方針および課金施行点（Policy and Charging Enforcement Point）（ＰＣＥＰ）（図示せず）への（ＱｏＳ）方針ならびに課金規則の転送を実現する。Ｓ６インターフェース（すなわち、ＡＡＡインターフェース）は、進化型パケットコア９０２をホーム加入者サービス（ＨＳＳ）９３４に接続することによって、ユーザアクセスを認証／許可するために、加入データおよび認証データの転送を可能にする。Ｓ２ａインターフェースは、ユーザプレーンに、信頼された非３ＧＰＰ  ＩＰアクセス９３６とＳＡＥアンカー９１６との間の関連制御およびモビリティ・サポートを提供する。
【０１０３】
無線通信システムは、音声、データなど、様々なタイプの通信コンテンツを提供するために、広く配備されていることを理解されたい。これらのシステムは、利用可能なシステムリソース（例えば、広帯域幅および送信電力）を共有することによって、複数のユーザとの通信をサポートすることが可能な多元接続システムであり得る。かかる多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システムを含む。
【０１０４】
一般に、無線多元接続通信システムは、複数の無線端末向けの通信を同時にサポートすることが可能である。それぞれの端末は、順方向リンク上および逆方向リンク上の伝送を経由して、１つまたは複数の基地局と通信する。順方向リンク（すなわち、ダウンリンク）は、基地局から端末への通信リンクを指し、逆方向リンク（すなわち、アップリンク）は、端末から基地局への通信リンクを指す。この通信リンクは、単一入力単一出力システム、複数入力単一出力システム、または多入出力（ＭＩＭＯ）システムを経由して確立されることが可能である。
【０１０５】
ＭＩＭＯシステムは、データ伝送のために、複数（ＮＴ本）の送信アンテナと、複数（ＮＲ本）の受信アンテナとを用いる。ＮＴ本の送信アンテナとＮＲ本の受信アンテナとによって形成されたＭＩＭＯチャネルは、空間チャネルと呼ばれることもあるＮＳ個の独立チャネルに分解されることが可能であり、この場合、ＮＳ≦最低｛ＮＴ，ＮＲ｝である。ＮＳ個の独立チャネルのそれぞれは、次元に対応する。複数の送信アンテナおよび受信アンテナによって生み出された追加の次元が利用される場合、ＭＩＭＯシステムは、改善されたパフォーマンス（例えば、より高いスループットまたはより大きな信頼性）を提供することが可能である。
【０１０６】
ＭＩＭＯシステムは、時分割デュプレックス（ＴＤＤ）システムおよび周波数分割デュプレックス（ＦＤＤ）システムをサポートする。ＴＤＤシステムにおいて、順方向リンク伝送および逆方向リンク伝送は、同じ周波数領域上にあり、その結果、相反原理は、逆方向リンクチャネルからの順方向リンクチャネルの推定を可能にする。これは、アクセスポイントにおいて複数のアンテナが利用可能であるとき、アクセスポイントが、順方向リンク上で送信ビーム形成利得を抽出することを可能にする。
【０１０７】
図１０を参照すると、一態様による、多元接続無線通信システム１０００が例示される。アクセスポイント１０００（ＡＰ）は、１つが１００４と１００６とを含み、もう１つが１００８と１０１０とを含み、追加のグループが１０１２と１０１４とを含む複数のアンテナグループを含む。図１０では、それぞれのアンテナグループに関して、２本のアンテナだけが示されるが、それぞれのアンテナグループに関して、より多くのアンテナまたはより少ないアンテナが利用されることが可能である。アクセス端末１０１６（ＡＴ）は、アンテナ１０１２および１０１４と通信中であり、この場合、アンテナ１０１２および１０１４は、順方向リンク１０２０上でアクセス端末１０１６に情報を送信し、逆方向リンク１０１８上でアクセス端末１０１６から情報を受信する。アクセス端末１０２２は、アンテナ１００６および１００８と通信中であり、この場合、アンテナ１００６および１００８は、順方向リンク１０２６上でアクセス端末１０２２に情報を送信し、逆方向リンク１０２４上でアクセス端末１０２２から情報を受信する。ＦＤＤシステムにおいて、通信リンク１０１８、１０２０、１０２４、および１０２６は、通信のために、異なる周波数を使用することが可能である。例えば、順方向リンク１０２０は、逆方向リンク１０１８によって使用される周波数とは異なる周波数を使用することが可能である。
【０１０８】
アンテナのそれぞれのグループ、またはそれらのアンテナが通信するように設計された領域は、アクセスポイントのセクタと呼ばれることがある。当該態様では、アンテナグループはそれぞれ、アクセスポイント１０００によってカバーされる領域のセクタ内でアクセス端末に通信するように設計される。
【０１０９】
順方向リンク１０２０および１０２６上の通信において、アクセスポイント１０００の送信アンテナは、異なるアクセス端末１０１６および１０２４に関する順方向リンクのＳＮ比を改善するために、ビーム形成を利用する。加えて、その受信可能範囲を通してランダムに散乱されたアクセス端末に送信するためにビーム形成を使用しているアクセスポイントは、隣り合うセル内のアクセス端末に対して、単一のアンテナを通してすべてのそのアクセス端末に送信しているアクセスポイントよりもさらに少ない干渉を引き起こす。
【０１１０】
アクセスポイントは、端末と通信するために使用される固定局であってよく、アクセスポイント、ノードＢ、またはいくつかのその他の専門用語で呼ばれる場合もある。アクセス端末は、アクセス端末、ユーザ機器（ＵＥ）、無線通信デバイス、端末、アクセス端末、またはいくつかのその他の専門用語で呼ばれる場合もある。
【０１１１】
図１１は、ＭＩＭＯシステム１１００における（アクセスポイントとしても知られる）送信機システム１１１０および（アクセス端末としても知られる）受信機システム１１５０の態様のブロック図である。送信機システム１１１０において、いくつかのデータストリームに関するトラヒックデータは、データ送信装置１１１２から送信（ＴＸ）データプロセッサ１１１４に提供される。
【０１１２】
一態様では、それぞれのデータストリームは、それぞれの送信アンテナ上で送信される。ＴＸデータプロセッサ１１１４は、符号化データを提供するために、そのデータストリームに関して選択された特定のコーディング方式に基づいて、それぞれのデータストリームに関するトラヒックデータをフォーマット、符号化、およびインタリーブする。
【０１１３】
それぞれのデータストリームに関する符号化データは、ＯＦＤＭ技法を使用して、パイロットデータを用いて多重化されることが可能である。このパイロットデータは、一般的に、知られている様式で処理される、知られているデータパターンであり、受信機システムにおいて、チャネル応答を推定するために使用されることが可能である。それぞれのデータストリームに関する、多重化パイロットデータおよび多重化符号化データは、次いで、変調記号を提供するために、そのデータストリームのために選択された特定の変調方式（例えば、ＢＰＳＫ、ＱＳＰＫ、Ｍ−ＰＳＫ、またはＭ−ＱＡＭ）に基づいて、変調（すなわち、記号マップ）される。それぞれのデータストリームに関するデータ転送速度、コーディング、および変調は、プロセッサ１１３０によって実行される命令によって決定され得る。
【０１１４】
次いで、すべてのデータストリームに関する変調記号は、（例えば、ＯＦＤＭの場合）変調記号をさらに処理することが可能なＴＸ  ＭＩＭＯプロセッサ１１２０に提供される。次いで、ＴＸ  ＭＩＭＯプロセッサ１１２０は、ＮＴ個の変調記号ストリームをＮＴ個の送信機（ＴＭＴＲ）１１２２ａ乃至１１２２ｔに提供する。ある実装形態では、ＴＸ  ＭＩＭＯプロセッサ１１２０は、ビーム形成重みをデータストリームの記号と、そこからその記号が送信されているアンテナとに適用する。
【０１１５】
それぞれの送信機１１２２は、それぞれの記号ストリームを受信して、１つまたは複数のアナログ信号を提供するために、その記号ストリームを処理して、ＭＩＭＯチャネル上の伝送に適した変調信号を提供するために、そのアナログ信号をさらに条件付け（例えば、振幅、フィルタリング、およびアップコンバート）する。送信機１１２２ａ乃至１１２２ｔからのＮＴ個の変調信号は、次いで、それぞれ、ＮＴ本のアンテナ１１２４ａ乃至１１２４ｔから送信される。
【０１１６】
受信機システム１１５０において、送信された変調信号は、ＮＲ本のアンテナ１１５２ａ乃至１１５２ｒによって受信され、それぞれのアンテナ１１５２からの受信信号は、それぞれの受信機（ＲＣＶＲ）１１５４ａ乃至１１５４ｒに提供される。それぞれの受信機１１５４は、それぞれの受信信号を条件付け（例えば、フィルタリング、振幅、およびダウンコンバート）して、サンプルを提供するために、条件付けされた信号をディジタル化し、対応する「受信」記号ストリームを提供するために、それらのサンプルをさらに処理する。
【０１１７】
次いで、ＲＸデータプロセッサ１１６０は、ＮＴ個の「検出」記号ストリームを提供するために、特定の受信機処理技法に基づいて、ＮＲ個の受信機１１５４からＮＲ個の受信記号ストリームを受信して、これらの受信記号ストリームを処理する。次いで、ＲＸデータプロセッサ１１６０は、データストリームに関するトラヒックデータを回復するために、それぞれの検出記号ストリームを復調、ディインタリーブ、および復号する。ＲＸデータプロセッサ１１６０による処理は、送信機システム１１１０においてＴＸ  ＭＩＭＯプロセッサ１１２０およびＴＸデータプロセッサ１１１４によって実行される処理に対して補完的である。
【０１１８】
プロセッサ１１７０は、どのプリコーディング行列を使用するかを周期的に決定する（下で議論される）。プロセッサ１１７０は、行列指数部分と、ランク値部分とを備えた逆方向リンクメッセージを定式化する。
【０１１９】
逆方向リンクメッセージは、通信リンクまたは受信データストリームに関する様々なタイプの情報を備え得る。次いで、逆方向リンクメッセージは、データ送信装置１１３６からいくつかのデータストリームに関するトラヒックデータも受信するＴＸデータプロセッサ１１３８によって処理されて、変調器１１８０によって変調され、送信機１１５４ａ乃至１１５４ｒによって条件付けられて、送信機システム１１１０に送信し戻される。
【０１２０】
送信機システム１１１０において、受信機システム１１５０からの変調信号は、アンテナ１１２４によって受信されて、受信機１１２２によって条件付けられて、復調器１１４０によって復調され、受信機システム１１５０によって送信された予約リンクメッセージを抽出するために、ＲＸデータプロセッサ１１４２によって処理される。次いで、プロセッサ１１３０は、ビーム形成重みを決定するために、どのプリコーディング行列を使用するかを決定し、次いで、抽出されたメッセージを処理する。
【０１２１】
一態様では、論理チャネルは、制御チャネルとトラヒック・チャネルとに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１つまたは複数のＭＴＣＨに関するマルチメディア・ブロードキャストおよびマルチキャスト・サービス（ＭＢＭＢ）スケジューリングならびに制御情報を送信するために使用されるポイントツーマルチポイントＤＬチャネルであるマルチキャスト制御チャネル（ＭＣＣＨ）。一般に、ＲＲＣ接続を確立した後で、このチャネルは、ＭＢＭＳ（注記：古いＭＣＣＨ＋ＭＳＣＨ）を受信するＵＥによってだけ使用される。専用の制御チャネル（ＤＣＣＨ）は、専用の制御情報を送信し、ＲＲＣ接続を有するＵＥによって使用されるポイントツーポイント双方向チャネルである。態様では、論理トラヒック・チャネルは、ユーザ情報の転送のための、１個のＵＥ専用のポイントツーポイント双方向チャネルである専用のトラヒック・チャネル（ＤＴＣＨ）を備える。加えて、トラヒックデータを送信するためのポイントツーマルチポイントＤＬチャネル向けのマルチキャスト・トラヒック・チャネル（ＭＴＣＨ）。
【０１２２】
一態様では、トランスポート・チャネルは、ＤＬとＵＬとに分類される。ＤＬトランスポート・チャネルは、ブロードキャスト・チャネル（ＢＣＨ）、ダウンリンク共有データチャネル（ＤＬ−ＳＤＣＨ）、およびページングチャネル（ＰＣＨ）を備え、ＰＣＨは、ＵＥ電力節約（ＤＲＸサイクルが、ネットワークによってＵＥに示される）のサポートに関し、セル全体にわたってブロードキャストされ、その他の制御チャネル／トラヒック・チャネルのために使用され得るＰＨＹリソースにマップされる。ＵＬトランスポート・チャネルは、ランダムアクセス・チャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルおよびＵＬチャネルのセットを備える。
【０１２３】
ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共通ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページング指示チャネル（ＰＩＣＨ）、ロード指示チャネル（ＬＩＣＨ）を備え、ＵＬ  ＰＨＹチャネルは、物理ランダムアクセス・チャネル（ＰＲＡＣＨ）、チャネル品質指示チャネル（ＣＱＩＣＨ）、肯定応答チャネル（ＡＣＫＣＨ）、アンテナサブセット指示チャネル（ＡＳＩＣＨ）、共有要求チャネル（ＳＲＥＱＣＨ）、ＵＬ物理共有データチャネル（ＵＬ−ＰＳＤＣＨ）、広帯域パイロットチャネル（ＢＰＩＣＨ）を備える。
【０１２４】
上で説明されたことは、様々な態様の例を含む。様々な態様を説明するために、構成要素または方法論のすべての考えられる組合せを説明することは当然不可能であるが、当業者は、多くの別の組合せおよび置換が可能であることを認識することが可能である。したがって、主題の明細書は、添付の特許請求の範囲の趣旨内および範囲内に包含されるすべてのかかる代替形態、修正形態、および改変形態を包含することが意図される。
【０１２５】
特に、上で説明された、構成要素、デバイス、回路、システムなどによって実行される様々な機能に関して、かかる構成要素を説明するために使用される（「手段」の参照を含む）用語は、その他の表示がない限り、本明細書で示された例示的な態様における機能を実行する、開示された構造に構造的に相当しないとしても、説明された構成要素の指定された機能を実行する任意の構成要素（例えば、機能的な均等物）に対応することが意図される。この点で、様々な態様は、システム、ならびに様々な方法の動作または事象を実行するためのコンピュータ実行可能命令を有するコンピュータ可読媒体を含むことも認識されよう。
【０１２６】
加えて、いくつかの実装形態のうちの１つだけに関して特定の特徴が開示されている場合があるものの、かかる特徴は、所望される可能性があるその他の実装形態の１つもしくは複数のその他の特徴、および任意の所与のアプリケーションまたは特定のアプリケーションに関する利点と組み合わせることが可能である。詳細な説明または特許請求の範囲において、「含む」および「含めて」という用語、ならびにその改変形態が使用される範囲で、これらの用語は、「備える」という用語に類似する形で包括的であることが意図される。さらに、詳細な説明もしくは特許請求の範囲において使用される場合、「または」という用語は、「非排他的なまたは」であることを意味する。
【０１２７】
さらに、理解されるように、開示されたシステムおよび方法の様々な部分は、人工知能、機械学習能力、または知識ベースもしくは規則ベースの構成要素、サブコンポーネント、プロセス、手段、方法論、あるいは機構（例えば、サポートベクトル機械、ニューラルネットワーク、エキスパート・システム、ベイジアン・ビリーフ・ネットワーク（Bayesian belief network）、ファジー論理、データフュージョン・エンジン、分類器．．．）を含むことが可能であるか、あるいはこれらで構成されることが可能である。かかる構成要素は、特に、それによって、システムおよび方法の一部をより適応性のあるものにすると同様に、効率的かつ知的にするために実行されるある種の機構またはプロセスを自動化することが可能である。
【０１２８】
上で説明された例示的なシステムに鑑みて、開示された主題に従って実装され得る方法論は、いくつかの流れ図を参照して説明されている。説明を簡単にするために、これらの方法論は、一連のブロックとして示され、かつ説明されるものの、いくつかのブロックは、異なる順序で、または本明細書で示され、かつ説明されるブロック以外のブロックと同時に発生することが可能であるため、特許請求される主題は、ブロックのこの順序に限定されない点を理解および認識されたい。さらに、本明細書で説明された方法論を実装するために、すべての例示されたブロックが求められない場合もある。加えて、本明細書で開示された方法論は、かかる方法論をコンピュータにトランスポートおよび転送することを円滑にするために、製品上に格納されていることが可能である点をさらに認識されたい。製品という用語は、本明細書で使用される場合、任意のコンピュータ可読デバイス、コンピュータ可読キャリア、またはコンピュータ可読媒体からアクセス可能なコンピュータ・プログラムを包含することが意図される。
【０１２９】
参照により、本明細書に組み込まれていると考えられる任意の特許、公告、またはその他の開示材料の全部もしくは一部は、その組み込まれた材料が、本開示において記載された既存の定義、供述、またはその他の開示材料に抵触しない範囲で、本明細書に組み込まれる点を認識されたい。したがって、必要な範囲で、本明細書に明示的に記載された本開示は、参照によって本明細書に組み込まれた任意の抵触材料に取って代わる。参照により本明細書に組み込まれていると考えられるが、本明細書に記載された既存の定義、供述、またはその他の開示材料に抵触する任意の材料、またはその部分は、その組み込まれた材料と、既存の開示材料の間に何の抵触も生じない範囲でだけ組み込まれることになる。
【図１】
2011503927.tif 000028
【図２】
2011503927.tif 000029
【図３】
2011503927.tif 000030
【図４】
2011503927.tif 000031
【図５】
2011503927.tif 000032
【図６】
2011503927.tif 000033
【図７】
2011503927.tif 000034
【図８】
2011503927.tif 000035
【図９】
2011503927.tif 000036
【図１０】
2011503927.tif 000037
【図１１】
2011503927.tif 000038
【国際調査報告】
2011503927.tif 000039
2011503927.tif 000040
2011503927.tif 000041